(57)【要約】  端末装置と、第１又は第２の周波数帯域に属する第１の周波数を利用して前記端末装置と無線通信を行う第１の基地局装置と、前記第１又は第２の周波数帯域に属する第２の周波数を利用して前記端末装置と無線通信を行う第２の基地局装置とを備え、前記第１及び第２の基地局装置は前記第１及び第２の周波数を夫々利用して第１及び第２のデータを前記端末装置へ同時に夫々送信する無線通信システムにおいて、前記第１の基地局装置は、前記端末装置との間の無線通信品質が閾値以下となったとき、前記端末装置に対して送達確認のとれていない送達未確認データを、前記端末装置と無線通信リンクが確立された前記第２の基地局装置へ転送する第１の送信部を備え、前記第２の基地局装置は、前記第１の基地局装置から受信した前記送達未確認データの全部又は一部を前記端末装置へ送信する第２の送信部を備える。
2015104802.tif 000002
【特許請求の範囲】
【請求項１】
端末装置と、
第１又は第２の周波数帯域に属する第１の周波数を利用して前記端末装置と無線通信を行う第１の基地局装置と、
前記第１又は第２の周波数帯域に属する第２の周波数を利用して前記端末装置と無線通信を行う第２の基地局装置とを備え、前記第１及び第２の基地局装置は前記第１及び第２の周波数を夫々利用して第１及び第２のデータを前記端末装置へ同時に夫々送信する無線通信システムにおいて、
前記第１の基地局装置は、前記端末装置との間の無線通信品質が閾値以下となったとき、前記端末装置に対して送達確認のとれていない送達未確認データを、前記端末装置と無線通信リンクが確立された前記第２の基地局装置へ転送する第１の送信部を備え、
前記第２の基地局装置は、前記第１の基地局装置から受信した前記送達未確認データの全部又は一部を前記端末装置へ送信する第２の送信部を備えることを特徴とする無線通信システム。
【請求項２】
前記第２の送信部は、前記第１の基地局装置において前記送達未確認データを送信するために用いる第１の論理チャネルをオープンし、当該第１の論理チャネルを用いて前記送達未確認データの全部又は一部を送信し、
前記第２の基地局装置は、前記送達未確認データを前記第１の基地局装置から受信後、所定時間経過後に前記第１の論理チャネルをクローズする制御部を備えることを特徴とする請求項１記載の無線通信システム。
【請求項３】
前記第１の送信部は、前記第１の基地局装置において前記送達未確認データを送信するために用いる第１の論理チャネルをクローズする時間を示すタイマー値を前記端末装置へ送信し、
前記端末装置は前記タイマー値を受信後、前記タイマー値により表わされた時間経過後に前記第１の論理チャネルをクローズすることを特徴とする請求項１記載の無線通信システム。
【請求項４】
前記第２の送信部は、第２の論理チャネルに対応する前記第２の周波数を用いて前記第２のデータを前記端末装置へ送信し、前記第１の論理チャネルと前記第２の論理チャネルについては前記第２の周波数を用いて前記端末装置と無線通信を行うことを特徴とする請求項２記載の無線通信システム。
【請求項５】
前記第１の送信部は、前記第１の論理チャネルと前記第２の論理チャネルについては前記第２の周波数を用いて前記第２の基地局装置が前記端末装置と無線通信を行うことに関する状態変更情報を前記端末装置へ送信し、
前記端末装置は、前記第１の論理チャネルと前記第２の論理チャネルについては前記第２の周波数を用いて前記第２の基地局装置と無線通信を行うことを特徴とする請求項４記載の無線通信システム。
【請求項６】
前記第２の基地局装置は、前記第１の基地局装置が前記送達未確認データを前記端末装置へ送信するときに用いる第１の論理チャネルに関する番号を、前記第２の基地局装置が前記第２のデータを前記端末装置へ送信するときに用いる第２の論理チャネルに関する番号に変換する制御部を備え、
前記第２の送信部は、前記第２の論理チャネルを用いて前記送達未確認データの全部又は一部を前記端末装置へ送信することを特徴とする請求項１記載の無線通信システム。
【請求項７】
前記第１の送信部は、前記第１及び第２の論理チャネルに関する番号を前記端末装置へ送信し、
前記端末装置は前記第１の論理チャネルをクローズすることを特徴とする請求項６記載の無線通信システム。
【請求項８】
更に、前記第１又は第２の基地局装置を介して前記端末装置へ至る経路を設定し、設定された経路に従って前記第１又は前記第２のデータを前記第１又は第２の基地局装置へ夫々送信するゲートウェイ装置を備え、
前記第２の送信部は、前記所定時間経過後、前記第１の基地局装置へ至る経路の切断を要求するデータ転送経路切断要求を前記ゲートウェイ装置へ送信することを特徴とする請求項２記載の無線通信システム。
【請求項９】
更に、前記第１又は第２の基地局装置を介して前記端末装置へ至る経路を設定し、設定された経路に従って前記第１又は前記第２のデータを前記第１又は第２の基地局装置へ夫々送信するゲートウェイ装置を備え、
前記第１の送信部は、前記ゲートウェイ装置が前記第１の基地局装置へ前記第１のデータを送信することを一時停止することを要求するデータ転送経路一時停止要求を前記ゲートウェイ装置へ送信することを特徴とする請求項１記載の無線通信システム。
【請求項１０】
更に、前記第１又は第２の基地局装置を介して前記端末装置へ至る経路を設定し、設定された経路に従って前記第１又は前記第２のデータを前記第１又は第２の基地局装置へ夫々送信するゲートウェイ装置を備え、
前記第１の送信部は、前記第１の基地局装置へ至る経路の切断を要求するデータ転送経路切断要求を前記ゲートウェイ装置へ送信することを特徴とする請求項６記載の無線通信システム。
【請求項１１】
前記第１の送信部は、前記状態変更情報の送信有無を制御チャネル又はレイヤ２パケットデータに含めて前記端末装置へ送信することを特徴とする請求項５記載の無線通信システム。
【請求項１２】
前記第１の送信部は、前記第１及び第２の論理チャネルに関する番号の送信有無を制御チャネル又はレイヤ２パケットデータに含めて前記端末装置へ送信することを特徴とする請求項７記載の無線通信システム。
【請求項１３】
前記第１の基地局装置は、前記無線通信品質に基づいて前記送達未確認データの送信先を前記第２の基地局装置に決定する制御部を備え、
前記第１の送信部は、前記決定に従って前記第２の基地局装置へ前記送達未確認データを送信することを特徴とする請求項１記載の無線通信システム。
【請求項１４】
第１又は第２の周波数帯域に属する第１の周波数を利用して第１のデータを端末装置へ送信する際に、他の基地局装置が前記第１又は第２の周波数帯域に属する第２の周波数を利用して第２のデータを前記端末装置へ送信する時と同時に、前記第１のデータを前記第１の周波数を利用して前記端末装置へ送信する基地局装置において、
前記端末装置との間の無線通信品質が閾値以下となったとき、前記端末装置に対して送達確認のとれていない送達未確認データを、前記端末装置と無線通信リンクが確立された前記他の基地局装置へ転送する送信部
を備えることを特徴とする基地局装置。
【請求項１５】
端末装置と、第１又は第２の周波数帯域に属する第１の周波数を利用して前記端末装置と無線通信を行う第１の基地局装置と、前記第１又は第２の周波数帯域に属する第２の周波数を利用して前記端末装置と無線通信を行う第２の基地局装置とを備え、前記第１及び第２の基地局装置は前記第１及び第２の周波数を夫々利用して第１及び第２のデータを前記端末装置へ同時に夫々送信する無線通信システムにおけるデータ転送方法であって、
前記第１の基地局装置は、前記端末装置との間の無線通信品質が閾値以下となったとき、前記端末装置に対して送達確認のとれていない送達未確認データを、前記端末装置と無線通信リンクが確立された前記第２の基地局装置へ転送し、
前記第２の基地局装置は、前記第１の基地局装置から受信した前記送達未確認データの全部又は一部を前記端末装置へ送信する
ことを特徴とするデータ転送方法。
【発明の詳細な説明】
【技術分野】
【０００１】
本発明は、無線通信システム、基地局装置、及び無線通信システムにおけるデータ転送方法に関する。
【背景技術】
【０００２】
現在、携帯電話システムや無線ＬＡＮ（Local  Area  Network）などの無線通信システムが広く利用されている。無線通信システムでは、音声通話サービスだけでなく、インターネットへのアクセス、ストリーミングによる音声や映像の配信サービスなど様々なサービスが提供されている。【０００３】
そのため、無線通信の分野では次世代の通信技術について継続的な議論が行われている。例えば、標準化団体である３ＧＰＰ（3rd  Generation  Partnership  Project）では、ＬＴＥ（Long  Term  Evolution）と呼ばれる通信規格や、ＬＴＥをベースとしたＬＴＥ−Ａ（LTE-Advanced）と呼ばれる通信規格の標準化が完了若しくは検討されている。【０００４】
このような無線通信に関する技術として、キャリアアグリゲーション（Carrier  Aggregation：以下では「ＣＡ」と称する場合がある）と呼ばれる技術がある。ＣＡは、例えば、基地局装置（以下では、「基地局」と称する場合がある）が複数の周波数帯域を用いて同時に端末装置（以下では、「端末」と称する場合がある）と無線通信を行う技術である。複数の周波数帯域を用いて同時に無線通信が行われるため、例えば、通信速度の高速化を実現することが可能となる。【０００５】
ＣＡについては、Ｉｎｔｒａ−ｅＮＢ  ＣＡと呼ばれる技術が検討されている。Ｉｎｔｒａ−ｅＮＢ  ＣＡとは、例えば、１つの基地局が複数の周波数を用いて同時に送信した異なるデータを１つの端末が受信するようにした技術である。また、今後の拡張として、Ｉｎｔｅｒ−ｅＮＢ  ＣＡも検討されている。Ｉｎｔｅｒ−ｅＮＢ  ＣＡとは、例えば、複数の基地局が複数の周波数を夫々用いて同時送信した異なるデータを１つの端末が受信するようにした技術である。【０００６】
また、無線通信に関する技術として、データフォワーディング（Data  Forwarding）と呼ばれる技術もある。データフォワーディングとは、例えば、端末がハンドオーバを行うとき、端末装置に送信されなかったデータや、端末装置に送信したものの送達確認のとれていないデータ（以下、これらのデータを「送達未確認データ」と称する場合がある）を接続元基地局が接続先基地局へ転送する処理のことである。接続元基地局から接続先基地局へ送達未確認データが転送されることで、例えば、基地局と上位装置との間で再送処理が行われる場合と比較して、処理遅延を少なくでき、基地局と端末との間の無線通信の安定化を図ることができる。【０００７】
図２５はデータフォワーディング処理のシーケンス例を表わす図である。図２５の例では、端末６００が基地局（＃１）７００−１から基地局（＃２）７００−２へハンドオーバを行い、基地局７００−１から基地局７００−２へデータフォワーディングが行われる例を表わしている。  【０００８】
端末６００は基地局７００−１と無線リンクの接続を確立し、論理チャネルＬＣＨ＃ａを用いてデータ通信を行っている（Ｓ２００）。【０００９】
論理チャネルとは、例えば、伝送情報を用途ごとに区分するチャネルであり、例えば、報知情報用の報知チャネル（ＢＣＣＨ（Broadcast  Control  CHannel））、端末個別制御信号用の個別制御チャネル（ＤＣＣＨ（Dedicated  Control  CHannel））、又はユーザデータ用の個別通信チャネル（ＤＴＣＨ（Dedicated  Traffic  CHannel））などがある。【００１０】
基地局７００−１は、端末６００との間で無線リンクを確立する際に、どのような論理チャネルを用いるかを決定し端末６００へ通知することで、基地局７００−１と端末１００との間では論理チャネルＬＣＨ＃ａを用いてデータ通信を行うことができる。【００１１】
次に、基地局７００−１はＳ−ＧＷ８００から端末６００宛てのデータ（Ｄａｔａ＃１）を受信する（Ｓ２０１）。  【００１２】
次に、端末６００は、基地局７００−１に対する無線品質が閾値以下であることを検出すると、当該無線品質と他の基地局７００−２に対する無線品質とを含むＭｅａｓｕｒｅｍｅｎｔ  Ｒｅｐｏｒｔを基地局７００−１へ送信する（Ｓ２０２）。【００１３】
次に、基地局７００−１は、端末６００から受信した無線品質に基づいて基地局７００−２に対してハンドオーバすることを決定し、ハンドオーバ要求を基地局７００−２へ送信する（Ｓ２０３）。【００１４】
基地局７００−２は、ハンドオーバ要求を受信すると、ハンドオーバの可否を判定し、基地局７００−１へ応答を送信する（Ｓ２０５）。また、基地局７００−２はハンドオーバを許可する場合は、論理チャネルＬＣＨ＃ａを新規にオープンする（Ｓ２０４）。【００１５】
基地局７００−１は、接続先の基地局７００−２から応答（Ｓ２０５）を受信すると、データ転送パスの切り替え要求をＳ−ＧＷ８００へ送信する（Ｓ２０６）。Ｓ−ＧＷ８００は、データ転送パスの切り替え要求を受信すると、データ転送パスを切り替え、応答を基地局７００−１へ送信する（Ｓ２０７）。【００１６】
基地局７００−１は、応答をＳ−ＧＷ８００から受信すると、基地局７００−２に対して送達未確認データの転送（又はフォワーディング）を行う（Ｓ２０８）。送達未確認データは、図２５の例ではＤａｔａ＃１となっている。【００１７】
次に、基地局７００−１は、無線リンク状態変更要求（Physical  Channel  Reconfiguration）を端末６００へ送信する（Ｓ２０９）。端末６００は、当該要求を受信することで、接続先の基地局を基地局７００−２へ切り替える。【００１８】
次に、端末６００は、新たな接続先となる基地局７００−２に対して、ＰＤＣＰ  ＳＴＡＴＵＳ  ＰＤＵを送信し（Ｓ２１１）、接続元の基地局７００−１に対して無線リンク状態変更要求（Ｓ２０９）に対する応答を送信する（Ｓ２１２）。ＰＤＣＰ  ＳＴＡＴＵＳ  ＰＤＵには、例えば、端末６００が基地局７００−１から受信したデータのシーケンス番号が含まれる。【００１９】
基地局７００−２は、ＰＤＣＰ  ＳＴＡＴＵＳ  ＰＤＵを受信すると（Ｓ２１１）、シーケンス番号に基づいて、基地局７００−１から転送された未送達確認データ（Ｄａｔａ＃１）のうち、既に端末６００に送信されたデータを破棄し（Ｓ２１３）、残りのデータを端末６００へ送信する。図２５の例では、基地局７００−２は、データ＃１を送達済みではないものとして破棄せずに、端末６００へ送信している（Ｓ２１４）。基地局７００−２は、その後に受信したＤａｔａ＃２も端末６００へ送信する（Ｓ２１５）。【００２０】
なお、無線通信に関する技術として、例えば、以下のような技術がある。すなわち、マクロセル間の「Ｉｎｔｅｒ−Ｆｒｅｑｕｅｎｃｙ  Ｍｅａｓｕｒｅｍｅｎｔ」と、マクロセルがカバレッジエリア内でＳｃｅｌｌとして設定されていないセルに対する「Ｉｎｔｅｒ−Ｆｒｅｑｕｅｎｃｙ  Ｈａｎｄｏｖｅｒ」に対して要求する性能とを別々に規定するようにした移動通信システムがある。【００２１】
この技術によれば、「Ｉｎｔｅｒ−Ｆｒｅｑｕｅｎｃｙ  Ｍｅａｓｕｒｅｍｅｎｔ」としての測定対象セルの状態に応じて、「Ｉｎｔｅｒ−Ｆｒｅｑｕｅｎｃｙ  Ｍｅａｓｕｒｅｍｅｎｔ」に対して適切な性能を要求することができる、とされる。
【先行技術文献】
【特許文献】
【００２２】
【特許文献１】特開２０１３−１５７８３０号公報
【非特許文献】
【００２３】
【非特許文献１】3GPP  TS  36.300  V11.7.0(2013-09)
【発明の概要】
【発明が解決しようとする課題】
【００２４】
しかしながら、データフォワーディングにおいては処理遅延が発生する場合がある。例えば、図２５において、端末６００は基地局７００−２に対してＰＤＣＰ  ＳＴＡＴＵＳ  ＰＤＵを送信する前に（Ｓ２１１の前、図２５で「＃＃」）、接続先の基地局７００−２に対して無線リンクを確立するための処理を行う。この無線リンクを確立するための処理によって、端末６００は、Ｍｅａｓｕｒｅｍｅｎｔ  Ｒｅｐｏｒｔ送信後、接続先の基地局７００−２からデータを受信するまで（例えばＳ２０２からＳ２１５まで）に時間がかかり、処理遅延が発生する場合がある。【００２５】
また、端末６００がこのような無線リンクを確立するための処理を行うとき、接続先の基地局７００−２と無線リンクを確立できない場合もある。このような場合、接続元の基地局７００−１は接続先の基地局７００−２に対してデータフォワーディングを行っても、接続先の基地局７００−２はデータを端末６００に送信することができない。このような場合も、端末６００は基地局７００−２からデータを受信することができず、通信の不安定化をもたらす。【００２６】
さらに、上述した「Ｉｎｔｅｒ−Ｆｒｅｑｕｅｎｃｙ  Ｍｅａｓｕｒｅｍｅｎｔ」に関する技術においても、新たにＳｃｅｌｌとして設定されていないセルに対して端末が接続する際に、端末は当該セルに対して無線リンクの接続処理を行う場合がある。この無線リンクの接続処理によって、端末が接続先のＳｃｅｌｌからデータを受信するまでに時間がかかる場合がある。また、端末は接続先のＳｃｅｌｌと無線リンクを確立できず、通信の不安定化をもたらす場合もある。【００２７】
従って、上述したＩｎｔｅｒ−Ｆｒｅｑｕｅｎｃｙ  Ｍｅａｓｕｒｅｍｅｎｔ」に関する技術においても、処理遅延が発生し、通信が不安定になる場合がある。【００２８】
そこで、一開示は、処理遅延を低減させるようにした無線通信システム、基地局装置、及び無線通信システムにおけるデータ転送方法を提供することにある。【００２９】
また、他の開示は、通信の安定化をもたらすようにした無線通信システム、基地局装置、及び無線通信システムにおけるデータ転送方法を提供することにある。
【課題を解決するための手段】
【００３０】
一態様によれば、端末装置と、第１又は第２の周波数帯域に属する第１の周波数を利用して前記端末装置と無線通信を行う第１の基地局装置と、前記第１又は第２の周波数帯域に属する第２の周波数を利用して前記端末装置と無線通信を行う第２の基地局装置とを備え、前記第１及び第２の基地局装置は前記第１及び第２の周波数を夫々利用して第１及び第２のデータを前記端末装置へ同時に夫々送信する無線通信システムにおいて、前記第１の基地局装置は、前記端末装置との間の無線通信品質が閾値以下となったとき、前記端末装置に対して送達確認のとれていない送達未確認データを、前記端末装置と無線通信リンクが確立された前記第２の基地局装置へ転送する第１の送信部を備え、前記第２の基地局装置は、前記第１の基地局装置から受信した前記送達未確認データの全部又は一部を前記端末装置へ送信する第２の送信部を備える。
【発明の効果】
【００３１】
処理遅延を低減させるようにした無線通信システム、基地局装置、及び無線通信システムにおけるデータ転送方法を提供することができる。通信の安定化をもたらすようにした無線通信システム、基地局装置、及び無線通信システムにおけるデータ転送方法を提供することができる。
【図面の簡単な説明】
【００３２】
【図１】図１は無線通信システムの構成例を表わす図である。
【図２】図２は無線通信システムの構成例を表わす図である。
【図３】図３は端末装置の構成例を表わす図である。
【図４】図４はレイヤ１処理部の構成例を表わす図である。
【図５】図５はレイヤ２処理部の構成例を表わす図である。
【図６】図６は基地局装置の構成例を表わす図である。
【図７】図７はレイヤ１処理部の構成例を表わす図である。
【図８】図８はレイヤ２処理部の構成例を表わす図である。
【図９】図９はＭＭＥ／Ｓ−ＧＷの構成例を表わす図である。
【図１０】図１０（Ａ）及び図１０（Ｂ）はデータフォワーディングの例を表わす図である。
【図１１】図１１はデータフォワーディング処理のシーケンス例を表わす図である。
【図１２】図１２はデータ転送パス確立処理のシーケンス例を表わす図である。
【図１３】図１３はデータ転送パス確立処理のシーケンス例を表わす図である。
【図１４】図１４はデータ転送パス確立処理のシーケンス例を表わす図である。
【図１５】図１５はチャネルマッピングの例を表わす図である。
【図１６】図１６はチャネルマッピングの例を表わす図である。
【図１７】図１７（Ａ）はＭＡＣデータ、図１７（Ｂ）はＬ１データの例を夫々表わす図である。
【図１８】図１８はデータフォワーディング処理のシーケンス例を表わす図である。
【図１９】図１９はチャネルマッピングの例を表わす図である。
【図２０】図２０はデータフォワーディング処理のシーケンス例を表わす図である。
【図２１】図２１はデータフォワーディング処理のシーケンス例を表わす図である。
【図２２】図２２は端末装置のハードウェア構成例を表わす図である。
【図２３】図２３は基地局装置のハードウェア構成例を表わす図である。
【図２４】図２４はＭＭＥ／Ｓ−ＧＷのハードウェア構成例を表わす図である。
【図２５】図２５はデータフォワーディング処理のシーケンス例を表わす図である。
【発明を実施するための形態】
【００３３】
以下、本実施の形態について図面を参照して詳細に説明する。
【００３４】
［第１の実施の形態］
図１は第１の実施の形態における無線通信システム１０の構成例を表わす図である。無線通信システム１０は、第１及び第２の基地局装置２００−１，２００−２と端末装置１００とを備える。
【００３５】
第１及び第２の基地局装置２００−１，２００−２は、自局の通信可能範囲において端末１００と無線通信を行うことが可能である。第１及び第２の基地局装置２００−１，２００−２は、端末装置１００と無線通信を行うことで、通話サービスや映像配信サービスなど種々のサービスを端末装置１００に提供できる。
【００３６】
第１の基地局装置２００−１は、第１又は第２の周波数帯域に属する第１の周波数を利用して端末装置１００と無線通信を行う。また、第２の基地局装置２００−２は、第１又は第２の周波数帯域に属する第２の周波数を利用して端末装置１００と無線通信を行う。第１及び第２の周波数は、ともに同一の第１の周波数帯域に属してもよいし、第１及び第２の周波数帯域に夫々属していてもよい。第１及び第２の基地局装置２００−１，２００−２は、第１及び第２の周波数を夫々利用して第１及び第２のデータを端末装置１００へ同時に夫々送信する。
【００３７】
第１の基地局装置２００−１は、第１の送信部２９５−１を備える。第１の送信部２９５−１は、端末装置１００との間の無線通信品質が閾値以下となったとき、端末装置１００に対して送達確認のとれていない送達未確認データを、端末装置１００と無線通信リンクが確立された第２の基地局装置２００−２へ転送する。
【００３８】
また、第２の基地局装置２００−２は、第２の送信部２９５−２を備える。第２の送信部２９５−２は、第１の基地局装置２００−１から受信した送達未確認データの全部又は一部を端末装置１００へ送信する。
【００３９】
このように、本第１の実施の形態では、第１及び第２の基地局装置２００−１，２００−２は第１及び第２の周波数を夫々利用して第１及び第２のデータを端末装置１００へ同時に夫々送信する。そして、このような無線通信システムにおいて、第１の基地局装置２００−１は、端末装置１００との無線通信リンクが確立された第２の基地局装置２００−２に対して、データフォワーディングを行うようにしている。
【００４０】
例えば、第１の基地局装置２００−１が無線通信リンクの確立されていない基地局装置へデータフォワーディングを行うと、端末１００は基地局装置に対して無線通信リンクを確立するための処理を行う場合がある。また、この場合、端末１００は無線通信リンクを確立することができず、フォワーディングされたデータの全部又は一部が第２の基地局装置２００−２から端末１００へ送信されない場合もある。
【００４１】
本第１の実施の形態では、第１の基地局装置２００−１は無線通信リンクが確立された第２の基地局装置２００−２へデータフォワーディングを行うことで、例えば、端末１００と第２の基地局装置２００−２との間で無線通信リンクを確立するための処理が行われなくてもよい。従って、本無線通信システム１０は処理遅延の軽減を図ることができる。
【００４２】
また、本第１の実施の形態では、データフォワーディング先の第２の基地局装置２００−２は端末装置１００と無線通信リンクが確立されているため、第２の基地局装置２００−２からフォワーディングされたデータの全部又は一部を端末装置１００が受信できる。よって、本無線通信システム１００は、通信の安定化を図ることができる。
【００４３】
［第２の実施の形態］
次に第２の実施の形態について説明する。第２の実施の形態においては、以下の順番で説明する。
【００４４】
＜１．無線通信システムの構成例＞
＜２．端末装置の構成例＞
＜３．基地局装置の構成例＞
＜４．ＭＭＥ／Ｓ−ＧＷの構成例＞
＜５．動作例＞
＜５．１  データ転送パス確立処理の動作例＞
＜５．２  データフォワーディング処理の動作例＞
＜１．無線通信システムの構成例＞
無線通信システムの構成例について説明する。図２は無線通信システム１０の構成例を表わす図である。
【００４５】
無線通信システム１０は、端末装置（以下、「端末」と称する場合がある）１００−１〜１００−３、基地局装置（以下、「基地局」と称する場合がある）２００−１〜２００−３、ＭＭＥ／Ｓ−ＧＷ（Mobility  Management  Entity/Serving  Gateway）３００−１，３００−２、及びネットワーク５００を備える。
【００４６】
端末１００−１〜１００−３は、フィーチャーフォン、スマートフォン、タブレット、パーソナルコンピュータなどの無線通信装置である。端末１００−１〜１００−３は、基地局２００−１〜２００−３と無線通信を行うことで、音声通話サービスや、映像や音声などのコンテンツ配信サービスなど、種々のサービスの提供を受けることができる。
【００４７】
基地局２００−１〜２００−３は、端末１００−１〜１００−３と無線通信を行う無線通信装置である。各基地局２００−１〜２００−３は、自局の通信可能領域（例えば、セル又はセル範囲と称する場合がある）において端末１００−１〜１００−３と双方向通信が可能である。
【００４８】
すなわち、基地局２００−１〜２００−３から端末１００−１〜１００−３への方向のデータ送信（又は下り通信）と、端末１００−１〜１００−３から基地局２００−１〜２００−３への方向のデータ送信（又は上り通信）である。各基地局２００−１〜２００−３は、スケジューリングなどにより無線リソース（例えば時間リソースと周波数リソース）を端末１００−１〜１００−３に割り当て、割り当てた無線リソースを制御信号として端末１００−１〜１００−３へ送信する。各基地局２００−１〜２００−３と端末１００−１〜１００−３は無線リソースを用いて下り通信や上り通信を行う。
【００４９】
このような無線通信に関して、各基地局２００−１〜２００−３が複数の周波数帯域を用いて（又は束ねて）、端末１００−１〜１００−３と無線通信を行うことを、例えば、キャリアアグリゲーション（以下では、「ＣＡ」と称する場合がある）と称する場合がある。
【００５０】
図２の例では、基地局２００−１と端末１００−２とがＣＡにより無線通信を行い、基地局２００−２，２００−３と端末１００−３とがＣＡにより無線通信を行っている様子が示されている。
【００５１】
このうち端末１００−２は、２つの周波数ｆ１，ｆ２を用いて基地局２００−１と無線通信を行っている例を表わしている。
【００５２】
このように、１つの基地局２００−１が複数の周波数ｆ１，ｆ２を用いて異なるデータを端末１００−２へ同時に送信して無線通信を行うことを、例えば、Ｉｎｔｒａ−ｅＮＢ  ＣＡと称する場合がある。この場合、基地局２００−１は複数の周波数帯域を用いてＣＡを行うが、２つの周波数ｆ１，ｆ２は異なる周波数帯域に夫々属する周波数でもよいし、１つの周波数帯域に属する周波数であってもよい。
【００５３】
また、図２の例では、端末１００−３は基地局２００−２と周波数ｆ１を用いて無線通信を行い、さらに、端末１００−３は基地局２００−３と周波数ｆ２を用いて無線通信を行っている例を表わしている。
【００５４】
このように、複数の基地局２００−２，２００−３が複数の周波数ｆ１，ｆ２を夫々用いて異なるデータを端末１００−３へ同時に送信して無線通信を行うことを、例えば、Ｉｎｔｅｒ−ｅＮＢ  ＣＡと称する場合がある。この場合も、各基地局２００−２，２００−３は、複数の周波数帯域を用いてＣＡを行うが、２つの周波数ｆ１，ｆ２は異なる周波数帯域に夫々属してもよいし、１つの周波数帯域に属しても良い。
【００５５】
ＭＭＥ／Ｓ−ＧＷ３００−１，３００−２は、１又は複数の基地局２００−１〜２００−３と接続されるとともに、ネットワーク５００とも接続される。ＭＭＥ／Ｓ−ＧＷ３００−１，３００−２は、例えば、端末１００−１〜１００−３の移動制御、端末１００−１〜１００−３の認証管理、ユーザデータの経路（又はパス）設定や変更指示などを行う。ＭＭＥ／Ｓ−ＧＷ３００−１，３００−２は、ネットワーク５００から送信されたユーザデータなどを、設定したパスに従って各基地局２００−１〜２００−３へ送信する。また、ＭＭＥ／Ｓ−ＧＷ３００−１，３００−２は、各基地局２００−１〜２００−３から送信されたデータをネットワーク５００へ送信する。
【００５６】
なお、ＭＭＥ／Ｓ−ＧＷ３００−１，３００−２は、ＭＭＥとＳ−ＧＷが別個の装置として無線通信システム１０に設けられても良い。
【００５７】
＜２．端末装置の構成例＞
次に、端末１００−１〜１００−３の構成例について説明する。なお、以下の説明において端末１００−１〜１００−３を総称して「端末１００」と表記することがある。また、以下の説明において、基地局２００−１〜２００−３を総称して「基地局２００」と表記することもある。
【００５８】
図３は端末１００の構成例を表わす図である。端末１００は、送信アンテナ１０１−１、受信アンテナ１０１−２、ＲＦ（Radio  Frequency）部１１０、レイヤ１処理部１３０、レイヤ２処理部１５０、レイヤ３処理部１７０、及びアプリケーションレイヤ処理部１７５を備える。
【００５９】
送信アンテナ１０１−１は、ＲＦ部１１０から出力された無線信号を基地局２００へ送信する。また、受信アンテナ１０１−２は、基地局２００から送信された無線信号を受信し、受信した無線信号をＲＦ部１１０に出力する。
【００６０】
ＲＦ部１１０は、受信アンテナ１０１−２で受信した無線信号をベースバンド周波数帯域のベースバンド信号へ変換し（ダウンコンバート）、変換後のベースバンド信号をレイヤ１処理部１３０へ出力する。また、ＲＦ部１１０は、レイヤ１処理部１３０から出力されたベースバンド信号を無線周波数帯域の無線信号へ変換し（アップコンバート）、変換後の無線信号を送信アンテナ１０１−１へ出力する。このような周波数変換処理が行われるよう、ＲＦ部１１０には内部に周波数変換回路などを備えるようにしてもよい。
【００６１】
図４は、図３に示すレイヤ１処理部１３０の構成例を示す。レイヤ１処理部１３０は、ＤＥＭ（Demodulation）部（又は復調処理部）１３１、ＤＥＣ（Decoder）部（又は復号化処理部）１３２、ＣＯＤ（Encoder）部（又は符号化処理部）１３３、及びＭＯＤ（Modulation）部（又は変調処理部）１３４を備える。
【００６２】
ＤＥＭ部１３１は、ＲＦ部１１０から出力されたベースバンド信号に対する復調処理を行う。例えば、ＤＥＭ部１３１は、ＯＦＤＭＡ（Orthogonal  Frequency  Division  Multiple  Access：直交周波数分割多重アクセス）による復調処理を行ってもよい。
【００６３】
ＤＥＭ部１３１は、測定部１３５、ＦＦＴ（Fast  Fourier  Transfer：高速フーリエ変換）部１３６、及び復調部１３７を備える。測定部１３５は、セルサーチやベースバンド信号のレベル測定を行う。ＦＦＴ部１３６は、ベースバンド信号に対して高速フーリエ変換を施してサブキャリアシンボルを復元する。復調部１３７は、サブキャリアシンボルに対して復調処理を施して符号化データを復元する。
【００６４】
ＤＥＣ部１３２は、復元された符号化データに対して誤り訂正復号化処理を行う。ＤＥＣ部１３２は、デレートマッチング部１３８、ＨＡＲＱ合成部１３９、復号化部１４０、誤り検出部１４１を備える。
【００６５】
デレートマッチング部１３８は、割り当てられた物理チャネルリソースに応じて伸縮されているデータを復元する。ＨＡＲＱ合成部１３９は、ＨＡＲＱ（Hybrid  Automatic  Repeat  Request:ハイブリッド型自動再送要求）などの再送処理により再送データを合成する。復号化部１４０は、例えば、ターボ復号処理などによって符号化データを復号する。誤り検出部１４１は、復号化されたデータの誤り検出処理を行う。誤り検出後のデータは、レイヤ２処理部１５０へ出力される。
【００６６】
ＣＯＤ部１３３は、レイヤ２処理部１５０から出力された送信データに対して誤り訂正符号化処理を行う。ＣＯＤ部１３３は、誤り検出符号付与部１４２、符号化部１４３、レートマッチング部１４４を備える。
【００６７】
誤り検出符号付与部１４２は、ＣＲＣ（Cyclic  Redundancy  Checking）符号などの誤り検出符号を算出して送信データに付加する。符号化部１４３は、例えばターボ符号化処理により送信データを符号化する。レートマッチング部１４４は、割り当てられた物理チャネルリソースに応じて符号化データを伸縮する。
【００６８】
ＭＯＤ部１３４は、符号化データの変調処理を行う。例えば、ＭＯＤ部１３４は、ＳＣ−ＦＤＭＡ（Single  Carrier  Frequency  Multiple  Access：単一キャリア周波数分割多重アクセス）方式による変調処理を行ってもよい。ＭＯＤ部１３４は、変調部１４５、ＤＦＴ（Discrete  Fourier  Transfer：離散フーリエ変換）部１４６、サブキャリアマッピング部１４７、及びＩＦＦＴ（Inverse  Fast  Fourier  Transfer：逆フーリエ変換）部１４８を備える。
【００６９】
変調部１４５は、符号化データに多値変調などの一次変調処理を施す。ＤＦＴ部１４６は、多値変調されたシンボルに離散フーリエ変換を施すことで、比較的広帯域の単一キャリアの周波数領域信号を生成する。サブキャリアマッピング部１４７は、基地局２００から割り当てられた物理チャネルのリソースのサブキャリア上に周波数領域信号をマッピングする。ＩＦＦＴ部１４８は、サブキャリア上に割り当てられた周波数領域信号に対して逆高速フーリエ変換を施すことで時間領域信号に変換する。ＩＦＦＴ部１４８からの出力信号はベースバンド信号としてＲＦ部１１０に出力される。
【００７０】
図５は、図３に示すレイヤ２処理部１５０の構成例を表わす図である。なお、添付する図面及び以下の説明において、媒体アクセス制御を「ＭＡＣ（Media  Access  Control）」、無線リンク制御を「ＲＬＣ（Radio  Link  Control）」、パケットデータ収斂プロトコルを「ＰＤＣＰ（Packet  Data  Control  Protocol）」と夫々表記する。レイヤ２処理部１５０は、ＭＡＣ受信部１５１、ＲＬＣ受信部１５２、ＰＤＣＰ受信部１５３、ＰＤＣＰ送信部１５４、ＲＬＣ送信部１５５、及びＭＡＣ送信部１５６を備える。
【００７１】
ＭＡＣ受信部１５１はＬＣＨ（Logical  CHannel）分離部１５７を備える。ＬＣＨ分離部１５７は、レイヤ１処理部１３０の誤り検出部１４１から出力されたデータを論理チャネル毎に分離してＲＬＣ受信部１５２へ出力する。
【００７２】
論理チャネルとは、例えば、伝送情報を用途ごとに区分するチャネルである。論理チャネルとしては、例えば、報知情報用の報知チャネル（ＢＣＣＨ（Broadcast  Control  CHannel））、端末個別制御信号用の個別制御チャネル（ＤＣＣＨ（Dedicated  Control  CHannel））、又はユーザデータ用の個別通信チャネル（ＤＴＣＨ（Dedicated  Traffic  CHannel））などがある。
【００７３】
ＲＬＣ受信部１５２は順序補正部１５８を備える。順序補正部１５８は、ＭＡＣ受信部１５１から受け取ったデータを基地局２００から送信された送信順に並べ替えてＰＤＣＰ受信部１５３へ出力する。
【００７４】
ＰＤＣＰ受信部１５３は、ＲＬＣ受信部１５２から受け取ったデータを、当該データに付加されたシーケンス番号の順序に並び替えて、レイヤ３処理部１７０又はアプリケーションレイヤ処理部１７５へ出力する。なお、ＰＤＣＰ受信部１５３は、制御データをレイヤ３処理部１７０へ出力し、ユーザデータをアプリケーションレイヤ処理部１７５へ出力する。
【００７５】
ＰＤＣＰ送信部１５４は、レイヤ３処理部１７０から出力された制御データと、アプリケーションレイヤ処理部１７５から出力されたユーザデータとを受け取り、これらのデータにシーケンス番号を割り当てて、ＲＬＣ送信部１５５へ出力する。
【００７６】
ＲＬＣ送信部１５５は再送（ＡＲＱ）部１５９を備える。再送部１５９は、ＰＤＣＰ送信部１５４から受け取ったデータを再送制御処理によってＭＡＣ送信部１５６へ出力する。
【００７７】
ＭＡＣ送信部１５６は、ＬＣＨ結合部１６０とＵＬ−ＨＡＲＱ部１６１を備える。ＬＣＨ結合部１６０は、ＲＬＣ送信部１５５から論理チャネル毎に受け取ったデータを結合して、結合したデータをレイヤ１処理部１３０の誤り検出符号付与部１４２へ出力する。ＵＬ−ＨＡＲＱ部１６１は、送信データのＨＡＲＱ処理を行う。
【００７８】
図３に戻り、レイヤ３処理部１７０は、無線リソースの制御や端末１００全体の制御などを行う。また、レイヤ３処理部１７０は、ページング処理、呼の確立と解放などのＲＲＣ（Radio  Resource  Control：無線リソース制御）に関する接続制御を行う。さらに、レイヤ３処理部１７０は、端末１００において取り扱うトラヒック量を測定し、基地局２００へ報告することもできる。また、レイヤ３処理部１７０は、ハンドオーバなどの接続切り替え制御に関するモビリティ制御処理なども行う。
【００７９】
アプリケーションレイヤ処理部１７５は、ユーザデータに対する処理を行うことで端末１００の画面に文字や画像などの表示させるなどの処理を行う。
【００８０】
＜３．基地局の構成例＞
次に基地局２００の構成例について説明する。図６は基地局２００の構成例を表わす図である。基地局２００は、送信アンテナ２０１−２、受信アンテナ２０１−２、ＲＦ部２１０、レイヤ１処理部２２０、レイヤ２処理部２５０−１〜２５０−ｎ、レイヤ３処理部２７０、及び制御部２８０を備える。  
【００８１】
なお、第１の実施の形態における第１の送信部２９５−１は、例えば、送信アンテナ２０１−１、ＲＦ部２１０、レイヤ１処理部２２０、レイヤ２処理部２５０−１〜２５０−ｎ、レイヤ３処理部２７０に対応する。
【００８２】
また、第２の実施の形態における第２の送信部２９５−２は、例えば、送信アンテナ２０１−１、ＲＦ部２１０、レイヤ１処理部２２０、レイヤ２処理部２５０−１〜２５０−ｎ、レイヤ３処理部２７０に対応する。
【００８３】
送信アンテナ２０１−１は、ＲＦ部２１０から出力された無線信号を端末１００へ送信する。また、受信アンテナ２０１−２は、端末１００から送信された無線信号を受信してＲＦ部２１０へ出力する。
【００８４】
ＲＦ部２１０は、受信アンテナ２０１−２で受信した無線信号をベースバンド帯域のベースバンド信号へ変換し（ダウンコンバート）、変換後のベースバンド信号をレイヤ１処理部２２０へ出力する。また、ＲＦ部２１０は、レイヤ１処理部２２０から出力されたベースバンド信号を無線帯域の無線信号へ変換し（アップコンバート）、無線信号を送信アンテナ２０１−１へ出力する。このような周波数変換処理が行われるように、ＲＦ部２１０には周波数変換回路などを備えるようにしてもよい。
【００８５】
図７は、図３に示すレイヤ１処理部２２０の構成例を示す。レイヤ１処理部２２０は、ＤＥＭ部２２１、ＤＥＣ部２２２、ＣＯＤ部２２３、ＭＯＤ部２２４を備える。
【００８６】
ＤＥＭ部２２１は、ＲＦ部２１０から出力されたベースバンド信号に対して復調処理を施す。ＤＥＭ部２２１は、例えば、ＳＣ−ＦＤＭＡ方式による復調処理を行ってもよい。ＤＥＭ部２２１は、ＦＦＴ部２２５、サブキャリアデマッピング部２２６、ＩＤＦＴ（Inverse  Discrete  Fourier  Transfer：逆離散フーリエ変換）部２２７、復調部２２８を備える。
【００８７】
ＦＦＴ部２２５は、受信した時間領域信号のベースバンド信号を周波数領域信号に変換し、サブキャリアシンボルを復元する。サブキャリアデマッピング部２２６は、各サブキャリアにマッピングされたシンボルを複数のユーザ毎のシンボルＤ１１〜Ｄ１ｎに分割する。ＩＤＦＴ部２２７は、単一キャリアの周波数領域信号であるユーザ毎のサブキャリアシンボルＤ１１〜Ｄ１ｎをそれぞれ逆フーリエ変換することにより、ユーザ毎の一次変調信号を復元する。復調部２２８は、一次変調信号に対して復調処理を施しユーザ毎の符号化データＤ２１〜Ｄ２ｎを復元する。
【００８８】
ＤＥＣ部２２２は、ユーザ毎の符号化データＤ２１〜Ｄ２ｎの復号処理を行い、符号化されたユーザ毎のデータＤ３１〜Ｄ３ｎを復元する。ＤＥＣ部２２２は、デレートマッチング部２２９、ＨＡＲＱ合成部２３０、復号化部２３１、誤り検出部２３２を備える。
【００８９】
デレートマッチング部２２９、ＨＡＲＱ合成部２３０、復号化部２３１、及び誤り検出部２３２の処理は、端末１００におけるデレートマッチング部１３８、ＨＡＲＱ合成部１３９、復号化部１４０、及び誤り検出部１４１の処理と夫々同様である。データＤ３１〜Ｄ３ｎは、レイヤ２処理部２５０−１〜２５０−ｎへ夫々出力される。
【００９０】
ＣＯＤ部２２３は、レイヤ２処理部２５０−１〜２５０−ｎから出力されたユーザ毎のデータＤ４１〜Ｄ４ｎを符号化し、ユーザ毎の符号化データＤ５１〜Ｄ５ｎを出力する。ＣＯＤ部２２３は、誤り検出符号付与部２３５、符号化部２３６、レートマッチング部２３７を備える。誤り検出符号付与部２３５、符号化部２３６、レートマッチング部２３７の処理は、端末１００における誤り検出符号付与部１４２、符号化部１４３、レートマッチング部１４４の処理と夫々同様である。
【００９１】
ＭＯＤ部２２４は、ユーザ毎の符号化データＤ５１〜Ｄ５ｎに対して変調処理を施す。ＭＯＤ部２２４は、例えば、ＯＦＤＭＡ方式による変調処理を行うことができる。ＭＯＤ部２２４は、変調部２３８、サブキャリアマッピング部２３９、ＩＦＦＴ部２４０を備える。
【００９２】
変調部２３８は、ユーザ毎の符号化データＤ５１〜Ｄ５ｎに対して、多値変調などの一次変調処理を施してサブキャリアシンボルＤ６１〜Ｄ６ｎを生成する。サブキャリアマッピング部２３９は、サブキャリアシンボルＤ６１〜Ｄ６２を物理チャネルリソースのサブキャリア上にマッピングする。ＩＦＦＴ部２４０は、サブキャリアシンボルに逆高速フーリエ変換を施して時間領域信号を生成する。ＭＯＤ部２２４により変調されたベースバンド信号はＲＦ部２１０へ出力される。
【００９３】
図８は、図６に示すレイヤ２処理部２５０−１の構成例を示す。レイヤ２処理部２５０−２〜２５０−ｎの構成は、レイヤ２処理部２５０−１の構成と同様である。レイヤ２処理部２５０−１〜２５０−ｎは、ユーザ毎のデータＤ３１〜Ｄ３ｎ及びＤ４１〜Ｄ４ｎに関するレイヤ２に関する処理を行う。
【００９４】
レイヤ２処理部２５０−１は、ＭＡＣ受信部２５１、ＲＬＣ受信部２５２、ＰＤＣＰ受信部２５３、ＰＤＣＰ送信部２５４、ＲＬＣ送信部２５５、ＭＡＣ送信部２５６を備える。
【００９５】
また、ＭＡＣ受信部２５１は、ＬＣＨ分離部２５７を備える。ＲＬＣ受信部２５２は、順序補正部２５８を備える。ＲＬＣ送信部２５５は再送（ＡＲＱ）部２５９を備える。ＭＡＣ送信部２５６は、ＬＣＨ結合部２６０とＤＬ−ＨＡＲＱ部２６１を備える。
【００９６】
ＬＣＨ分離部２５７、順序補正部２５８、ＰＤＣＰ受信部２５３、ＰＤＣＰ送信部２５４、再送部２５９、ＬＣＨ結合部２６０、及びＤＬ−ＨＡＲＱ部２６１の処理は、端末１００におけるＬＣＨ分離部１５７、順序補正部１５８、ＰＤＣＰ受信部１５３、ＰＤＣＰ送信部１５４、再送部１５９、ＬＣＨ結合部１６０、及びＵＬ−ＨＡＲＱ部１６１の処理と夫々同様である。
【００９７】
なお、ＰＤＣＰ送信部２５４は、ＰＤＣＰレイヤにおいて、ＭＭＥ／Ｓ−ＧＷ３００から受信したパケットデータに対してシーケンス番号を付加する処理を行う。また、ＰＤＣＰ送信部２５４は、制御部２８０から出力された転送指示に従って、メモリなどに保持したデータを転送する（又はデータフォワーディングを行う）。そのため、ＰＤＣＰ送信部１５４は、他の基地局のＰＤＣＰ送信部２５４と接続され、互いにデータを転送することができる。このようなメモリは、例えば、ＰＤＣＰ送信部１５４の内部に備えるようにしてもよいし、ＰＤＣＰ送信部１５４の外部に備えるようにしてもよい。
【００９８】
図６に戻り、レイヤ３処理部２７０は、無線リソースの制御及びＲＲＣ接続制御を行う。制御部２８０は、例えば、データフォワーディングする際に転送先の基地局を決定する。また、制御部２８０は、他の基地局との間でメッセージやデータなどを交換する。そのため、制御部２８０は、他の基地局の制御部２８０と接続される。さらに、制御部２８０は、データフォワーディングにおいてレイヤ２処理部２５０−１〜２５０−ｎに対してデータの転送指示なども行う。
【００９９】
＜４．ＭＭＥ／Ｓ−ＧＷの構成例＞
次に、ＭＭＥ／Ｓ−ＧＷ３００の構成例について説明する。図９はＭＭＥ／Ｓ−ＧＷ３００の構成例を表わす図である。
【０１００】
ＭＭＥ／Ｓ−ＧＷ３００は、経路状態管理部３１０と経路選択部３２０を備える。
【０１０１】
経路状態管理部３１０は、ネットワーク５００から受信したデータを端末１００へ転送するための選択可能な経路情報を端末１００毎に管理する。すなわち、経路状態管理部３１０は、例えば、基地局２００から受信したパス設定要求に従って経路情報を設定し、設定した経路でデータを送信するよう経路選択部３２０を制御する。また、経路状態管理部３１０は、例えば、基地局２００から受信したデータ転送パス切り替え要求に従って経路情報を変更し、変更後の経路によりデータを送信するよう経路選択部３２０を制御する。さらに、経路状態管理部３１０は、例えば、経路選択部３２０を介して基地局２００から受信したデータ転送パスｓｕｓｐｅｎｄ要求に従って、端末１００への経路を一時的に停止するよう経路選択部３２０を制御する。
【０１０２】
なお、経路状態管理部３１０は、端末１００へ送信するデータに対してシーケンス番号を割り振ってもよい。その詳細は第４の実施の形態において説明する。
【０１０３】
経路選択部３２０は、経路状態管理部３１０からの指示に従って、ネットワーク５００から受信したデータを基地局２００へ送信したり、送信の一時停止を行う。また、経路選択部３２０は、経路状態管理部３１０の指示により、基地局２００から受信したデータをネットワーク５００へ送信する。
【０１０４】
＜５．動作例＞
次に動作例について説明する。最初にデータフォワーディング全体の動作について説明する。図１０（Ａ）及び図１０（Ｂ）はデータフォワーディング全体の動作例を表わす図である。
【０１０５】
図１０（Ａ）では、基地局２００−１と端末１００との間で通信が行われていて、基地局２００−１がＳ−ＧＷ３００から受信したデータを端末１００に送信している様子を表わしている。この場合、基地局２００−１は、論理チャネルＬＣＨ＃ａを用いて端末１００にデータを送信している。
【０１０６】
図１０（Ｂ）は、基地局２００−１から基地局２００−２へデータフォワーディングが行われる様子を表わしている。このようなデータフォワーディングが行われるのは、例えば、基地局２００−１と端末１００との間で通信品質が劣化するなどにより通信状況が変化したため、ハンドオーバ処理が実施されたときである。このような場合、基地局２００−１と端末１００との間で無線通信が行われていた通信を停止して、端末１００の通信先を基地局２００−２へ切り替え、基地局２００−２と端末１００との間で無線通信が行われる。この場合、基地局２００−１は、送達未確認データを基地局２００−２へ転送する。
【０１０７】
なお、送達未確認データとは、例えば、基地局２００−１から端末１００へ送信されなかったデータや、基地局２００−１から端末１００へ送信したものの基地局２００−１において送達確認のとれていないデータのことである。
【０１０８】
一方、端末１００は、基地局２００−１から受信したデータのシーケンス番号を含むＰＤＣＰ  ＳＴＡＴＵＳ  ＰＤＵを基地局２００−２に送信する。このとき、基地局２００−２は、基地局２００−１が無線通信に用いた論理チャネルＬＣＨ＃ａを用いて、ＰＤＣＰ  ＳＴＡＴＵＳ  ＰＤＵを受信する。論理チャネルＬＣＨ＃ａの詳細については後述する。
【０１０９】
そして、基地局２００−２は、未送達確認データのうち、シーケンス番号に基づいて、端末１００が受信したデータ以外のデータを端末１００へ送信する。
【０１１０】
次に、Ｉｎｔｅｒ−ｅＮＢ  ＣＡ時のデータフォワーディング処理の詳細について説明する。図１１は本第２の実施の形態におけるデータフォワーディング処理のシーケンス例を表わす図である。
【０１１１】
図１１の例では、３つの基地局２００−１〜２００−３と端末１００との間でＩｎｔｅｒ−ｅＮＢ  ＣＡが行われる例を表わしている。
【０１１２】
最初に、端末１００と各基地局２００−１〜２００−３との間でデータ転送パスの確立処理が行われる（Ｓ１０）。これにより、３つの基地局２００−１〜２００−３と端末１００との間でデータ転送パスが確立されて、Ｉｎｔｅｒ−ｅＮＢ  ＣＡを行うことができる。
【０１１３】
以下、データ転送パス確立処理の動作例（Ｓ１０）について説明し、次に、データ転送パス確立後のデータフォワーディング処理の動作例（Ｓ１１〜Ｓ２９）について説明する。なお、以下においては無線リンク確立処理のことをデータ転送パス確立処理と称する場合がある。
【０１１４】
＜５．１  データ転送パス確立処理の動作例＞
図１２から図１４はデータ転送パス確立処理（Ｓ１０）の動作例を表わす図である。このうち、図１２は端末１００と基地局２００−１との間で行われるデータ転送パス確立処理のシーケンス例、図１３及び図１４は基地局２００−２との間におけるデータ転送パス確立処理のシーケンス例をそれぞれ表わしている。図１２に示す処理により、端末１００と基地局２００−１との間でデータ転送パスが確立される。その後、図１３又は図１４に示す処理が行われることで、端末１００と基地局２００−２との間のデータ転送パスが追加され、端末１００と２つの基地局２００−１，２００−２との間の２つのデータ転送パスが確立される。
【０１１５】
なお、端末１００が最初にデータ転送パスを確立した基地局２００−１を、以下では、マスター基地局２００−１と称する場合がある。
【０１１６】
図１２について説明する。なお、図１２において、各メッセージが端末１００と基地局２００−１との間で送受信されている。このようなメッセージは、例えば、端末１００のレイヤ３処理部１７０と基地局２００のレイヤ３処理部２７０において生成され、２つのレイヤ３処理部１７０，２７０の間で送受信される。
【０１１７】
端末１００は、例えば電源をオンにした後、位置登録要求を基地局２００−１へ送信する（Ｓ１００）。また、基地局２００−１は位置登録要求に対して位置登録完了を端末１００へ送信する（Ｓ１０１）。
【０１１８】
これにより、例えば、端末１００は基地局２００−１配下への位置登録が完了し、また、基地局２００−１は端末１００に対してマスター基地局として動作することが可能となる。この場合、基地局２００−１は他の基地局に対して自局がマスター基地局であることを通知してもよい。この通知は、例えば、基地局２００−１の制御部２８０が他の基地局の制御部２８０へ通知することで行われる。
【０１１９】
次に、端末１００は、発信動作により、基地局２００−１に対して接続要求（ｒｒｃＣｏｎｎｅｃｔｉｏｎＲｅｑｕｅｓｔ）を送信する（Ｓ１０２）。そして、基地局２００−１は、接続要求に対する応答として、接続開始（ｒｒｃＣｏｎｎｅｃｔｉｏｎＳｅｔｕｐ）を端末１００へ送信する（Ｓ１０３）。このとき、基地局２００−１は、以降の処理（例えばＳ１０４からＳ１１５）において送受信に用いられる論理チャネルと物理チャネルに関する情報を接続開始に含めて送信する。
【０１２０】
ここで、論理チャネルと物理チャネルについて説明する。図１５は論理チャネルから物理チャネルまでの関係例を表わす図である。図１５の詳細については後述する。また、トランスポートチャネルとは、例えば、論理チャネルを物理チャネルへ対応付けるためのチャネルである。トランスポートチャネルとしては、例えば、共有チャネル（ＵＬ／ＤＬ  ＳＣＨ（Uplink/Downlink  Shared  CHannel）やランダムアクセスチャネル（ＲＡＣＨ（Random  Access  Channel））などがある。論理チャネルに対してどの物理チャネルを用いるかについてトンラスポートチャネルを介してマッピングされる。例えば、論理チャネルである個別通信チャネルＤＴＣＨは、どの物理チャネルを用いて通信するかについて、トンラスポートチャネル（例えばＵＬ  ＳＣＨなど）を介してマッピングされる。
【０１２１】
基地局２００−１は、論理チャネル〜物理チャネルの対応関係をメモリなどに保持し、無線通信に用いる論理チャネル〜物理チャネルに関する情報を端末１００へ適宜通知することができる。
【０１２２】
ただし、図１２における接続開始（Ｓ１０３）における通知は、以降の通信（Ｓ１０４からＳ１１５）において用いられる論理チャネル〜物理チャネルに関する情報となっている。
【０１２３】
端末１００は、接続開始（Ｓ１０３）の通知を受信すると、接続に関する処理を行う。接続に関する処理としては、例えば、以下のような処理がある。すなわち、端末１００は、当該通知に含まれる論理チャネル〜物理チャネルのマッピング情報をメモリに保持するなどすることで各チャネルの設定を行う。また、端末１００は、基地局２００−１に対して同期確立処理を行う。なお、端末１００は必要ならばセルサーチ処理を行って基地局２００−１を検出する。そして、端末１００は、接続に関する処理を完了すると接続完了（ｒｒｃＣｏｎｎｅｃｔｉｏｎＳｅｔｕｐＣｏｍｐｌｅｔｅ）を基地局２００−１へ送信する（Ｓ１０４）。
【０１２４】
次に、端末１００は、サービス開始要求（ｉｎｉｔｉａｌＤｉｒｅｃｔＴｒａｎｓｆｅｒ）を基地局２００−１へ送信する（Ｓ１０５）。
【０１２５】
サービス開始要求を受信した基地局２００−１は、秘匿設定（ｓｅｃｕｒｉｔｙＭｏｄｅＣｏｍｍａｎｄ）を端末１００へ送信する（Ｓ１０６）。以後、端末１００は秘匿設定に従って暗号化を行い、暗号化されたメッセージを基地局２００−１へ送信できる。秘匿設定を受信した端末１００は、例えば、秘匿設定で通知された暗号化に関する情報をメモリなどに保持することで設定を行う。
【０１２６】
端末１００は、秘匿設定に関する設定が完了すると、秘匿設定の完了応答（ｓｅｃｕｒｉｔｙＭｏｄｅＣｏｍｐｌｅｔｅ）を基地局２００−１へ送信する（Ｓ１０７）。
【０１２７】
また、端末１００は、呼接続要求（ｕｐｌｉｎｋＤｉｒｅｃｔＴｒａｎｓｆｅｒ）を基地局２００−１へ送信する（Ｓ１０８）。例えば、端末１００は、電子メールやＷｅｂ閲覧などのパケット通信か、音声電話やＴＶ電話などの回線通信かなど、どのような通信による接続を行うかについて送信する。  
【０１２８】
基地局２００−１は、呼接続要求を端末１００から受信すると（Ｓ１０８）、無線ベアラ設定要求（ｒａｄｉｏＢｅａｒｅｒＳｅｔｕｐ）を端末１００へ送信する（Ｓ１０９）。例えば、基地局２００−１は、呼接続要求（Ｓ１０８）により要求された通信を行うときに用いる物理チャネル〜論理チャネルに関する情報を無線ベアラ設定要求に含めて送信する。
【０１２９】
端末１００は、無線ベアラ設定要求を受信すると（Ｓ１０９）、無線ベアラ設定要求に対する端末１００の設定を行う。例えば、端末１００は、無線ベアラ設定要求に含まれる物理チャネル〜論理チャネルに関する情報をメモリに保持するなどして設定を行う。端末１００は、呼接続要求（Ｓ１０８）で要求した通信については、設定した物理チャネル〜論理チャネルを用いて基地局２００−２と無線通信を行う。
【０１３０】
端末１００は、無線ベアラ設定要求に対する設定が完了すると、完了応答（ｒａｄｉｏＢｅａｒｅｒＳｅｔｕｐＣｏｍｐｌｅｔｅ）を基地局２００−１へ送信する（Ｓ１１０）。
【０１３１】
基地局２００−１は、無線ベアラ設定要求の完了応答を受信すると（Ｓ１１０）、Ｓ−ＧＷ３００に対してパス設定要求を送信する（Ｓ１１１）。パス設定要求には、例えば、端末情報やサービス情報（Ｓ１０５）などが含まれる。パス設定要求により、例えば、基地局２００−１から端末１００へ至るパスの設定がＳ−ＧＷ３００において行われる。
【０１３２】
Ｓ−ＧＷ３００におけるパスの設定は、例えば、以下のようにして行われる。すなわち、Ｓ−ＧＷ３００の経路状態管理部３１０は、基地局２００−１からパス設定要求を受信すると、当該要求に含まれる基地局２００−１から端末１００へ至るパスの情報を抽出し、当該情報に従ってデータを送信するよう経路選択部３２０へ指示する。これにより、以後、Ｓ−ＧＷ３００は基地局２００−１を介して端末１００へデータを送信できる。
【０１３３】
また、基地局２００−１は、メジャーメント設定要求（ｍｅａｓｕｒｅｍｅｎｔＣｏｎｔｒｏｌ）を端末１００へ送信する（Ｓ１１２）。
【０１３４】
メジャーメント設定要求には、例えば、周辺セル情報やＭｅａｓｕｒｅｍｅｎｔ  Ｒｅｐｏｒｔの報告条件などが含まれる。Ｍｅａｓｕｒｅｍｅｎｔ  Ｒｅｐｏｒｔの報告条件としては、例えば、受信品質の閾値などがある。端末１００はメジャーメント設定要求に従って、Ｍｅａｓｕｒｅｍｅｎｔ  Ｒｅｐｏｒｔを基地局２００−１へ送信する。
【０１３５】
次に、基地局２００−１は、Ｓ−ＧＷ３００からパス設定要求（Ｓ１１１）に応じたパス設定が通知され（Ｓ１１３）、通知されたパスの設定を行う。
【０１３６】
例えば、基地局２００−１は、Ｓ−ＧＷ３００から基地局２００−１を介して端末１００へ至る経路情報をメモリに記憶することでパスの設定を行う。また、基地局２００−１は、例えば、端末１００との無線通信で用いる論理チャネル〜物理チャネルの関係（例えば図１５）をメモリなどに保持する。これにより、例えば、図１５に示すように基地局２００−１が端末１００との無線通信に用いる論理チャネルと物理チャネルが設定される。なお、メモリは、例えば、基地局２００−１におけるレイヤ３処理部２７０の内部や外部に備えるようにしてもよい。
【０１３７】
基地局２００−１は、パスの設定を完了すると、パス設定応答をＳ−ＧＷ３００へ送信する（Ｓ１１４）。
【０１３８】
そして、基地局２００−１は、サービス開始要求（Ｓ１０５）に対する応答として、サービス開始承諾（ｄｏｗｎｌｉｎｋＤｉｒｅｃｔＴｒａｎｓｆｅｒ）を端末１００へ送信する（Ｓ１１５）。
【０１３９】
以上により、端末１００と基地局２００−１との間でデータ転送パスが確立される。
【０１４０】
次に、端末１００と基地局２００−２との間でデータ転送パス確立処理が行われる。これにより、端末１００と２つの基地局２００−１，２００−２との間でデータ転送パスが確立される。
【０１４１】
図１３と図１４は、基地局２００−２に対するデータ転送パス確立処理のシーケンス例を表わしている。このうち、図１３は追加された基地局２００−２がＳ−ＧＷ３００に対してパス設定要求を行う例、図１４はマスター基地局２００−１がＳ−ＧＷ３００に対してパス設定要求を行う例を夫々表わしている。
【０１４２】
図１３について説明する。データ転送パスが確立された端末１００と基地局２００−１は、通信状態となっている（Ｓ１２０）。
【０１４３】
端末１００は、送受信されるデータのデータ量（又はトラヒック量）を測定（又は監視）する（Ｓ１２１）。そして、端末１００は、データ量が閾値を超えたとき、測定結果を含むＭｅａｓｕｒｅｍｅｎｔ  Ｒｅｐｏｒｔを基地局２００−１へ送信する（Ｓ１２３）。
【０１４４】
例えば、測定部１３５は各基地局２００−１，２００−２に対するトラヒック量を測定し、測定結果をレイヤ３処理部１７０に通知し、レイヤ３処理部１７０は測定結果を含むＭｅａｓｕｒｅｍｅｎｔ  Ｒｅｐｏｒｔを生成する。生成されたＭｅａｓｕｒｅｍｅｔ  Ｒｅｐｏｒｔは、レイヤ３処理部１７０からレイヤ２処理部１５０などを介して端末１００へ送信される。  
【０１４５】
基地局２００−１は、Ｍｅａｓｕｒｅｍｅｎｔ  Ｒｅｐｏｒｔを受信すると追加基地局を判定する（Ｓ１２４）。
【０１４６】
例えば、基地局２００−１は、Ｍｅａｓｕｒｅｍｅｎｔ  Ｒｅｐｏｒｔに含まれるトラヒック量に基づいてＩｎｔｅｒ−ｅＮＢ  ＣＡを行うことを決定し、他の基地局における受信品質のうち最も受信品質の良い基地局やトラヒック量の最も少ない基地局を追加基地局に選択する。このような判定は、例えば、基地局２００−１の制御部２８０で行われる。図１３の例では、基地局２００−２が追加基地局となる。
【０１４７】
次に、基地局２００−１は、追加基地局２００−２へ接続要求を送信する（Ｓ１２５）。接続要求には、例えば、対象となる端末１００に関する端末情報やサービス情報などが含まれる。例えば、制御部２８０が追加基地局を判定後、追加基地局に対する接続要求を生成し、追加基地局２００−２の制御部２８０へ送信する。
【０１４８】
基地局２００−２は、接続要求（Ｓ１２５）を受信すると端末１００の接続可否を判定し、その結果を接続応答として基地局２００−１へ送信する（Ｓ１２６）。
【０１４９】
接続可否としては、例えば、基地局２００−２において端末１００に割り当て可能な無線リソース量に基づいて判定してもよい。図１３の例では基地局２００−２への接続が許可された例を表わしている。なお、接続応答には、基地局２００−２が端末１００との無線通信に用いる論理チャネルと物理チャネルに関する情報を通知してもよい。例えば、基地局２００−２の制御部２８０はメモリなどに保持した当該情報を読み出して、生成した接続応答に含めて基地局２００−１の制御部２８０で通知する。このようなメモリは、例えば、制御部２８０の内部や外部に備えられてもよい。
【０１５０】
基地局２００−１は、接続応答（Ｓ１２６）を受信すると、端末１００に対して基地局２００−２への接続指示を送信する（Ｓ１２７）。
【０１５１】
例えば、制御部２８０は、基地局２００−２から送信された接続応答を受信すると、接続応答から論理チャネルと物理チャネルに関する情報を抽出する。そして、制御部２８０は、抽出した当該情報を含む接続指示を生成し、レイヤ３処理部２７０などを介して端末１００へ送信する。
【０１５２】
端末１００は、接続指示（Ｓ１２７）を受信すると、基地局２００−２に対する接続処理を行う（Ｓ１２８）。
【０１５３】
接続処理としては、例えば、以下のような処理がある。すなわち、端末１００のレイヤ３処理部１７０は、接続指示に含まれる論理チャネル〜物理チャネルに関する情報をメモリに保持することで、各チャネルの設定処理を行う。また、端末１００は基地局２００−２に対する同期処理を行う。
【０１５４】
端末１００は、接続処理を完了すると、接続完了通知を基地局２００−２へ送信する（Ｓ１２９）。例えば、レイヤ３処理部１７０は接続処理を完了すると、接続完了通知を生成して基地局２００−２へ向けて送信する。
【０１５５】
基地局２００−１は接続完了通知を受信し（Ｓ１２９）、端末１００に対するパス設定要求をＳ−ＧＷ３００へ送信する（Ｓ１３０）。なお、基地局２００−２が接続完了通知（Ｓ１２９）を受信することで、端末１００と基地局２００−２との間で無線リンク（又は接続パス）が確立される。例えば、基地局２００−２のレイヤ３処理部２７０は接続完了通知を受信すると、端末１００との間のパスの設定要求を含むパス設定要求を生成して、Ｓ−ＧＷ３００へ向けて送信する。
【０１５６】
Ｓ−ＧＷ３００は、パス設定要求を受信すると、パス設定要求に応じたパスの設定を行い、設定後、パス設定を基地局２００−２へ送信する（Ｓ１３１）。
【０１５７】
例えば、Ｓ−ＧＷ３００の経路状態管理部３１０は、基地局２００−１からパス設定要求を受信すると、当該要求に含まれる基地局２００−２から端末１００へ至るパスの情報を抽出し、当該情報に従ってデータを送信するよう経路選択部３２０へ指示する。これにより、Ｓ−ＧＷ３００から基地局２００−２を介して端末１００へのパス設定が行われ、以後、Ｓ−ＧＷ３００はパス設定に従ってデータを送信する。例えば、経路状態管理部３１０は、パス設定を完了後、パス設定通知を生成して基地局２００−２へ送信する。
【０１５８】
基地局２００−２は、パス設定をＳ−ＧＷ３００から受信すると（Ｓ１３１）、通知されたパス設定の設定を行い、これを完了すると、パス設定応答をＳ−ＧＷ３００へ送信する（Ｓ１３２）。
【０１５９】
例えば、基地局２００−２のレイヤ３処理部２７０は、通知されたパス設定に基づいてメモリなどにパスに関する情報を記憶するなどにより設定を行う。そして、レイヤ３処理部２７０は、例えば、端末１００との無線通信で用いる論理チャネル〜物理チャネルの関係（例えば図１５）をメモリなどに保持する。これにより、例えば、図１５に示すように基地局２００−２が端末１００との無線通信に用いる論理チャネル〜物理チャネルが設定される。そして、レイヤ３処理部２７０は、パス設定応答を生成し、Ｓ−ＧＷ３００へ向けて送信する。
【０１６０】
次に、基地局２００−２は接続完了通知を基地局２００−１へ送信する（Ｓ１３３）。例えば、基地局２００−２のレイヤ３処理部２７０は、パス設定応答を送信（Ｓ１３２）後、接続完了通知を生成して制御部２８０を介して基地局２００−１へ送信する。
【０１６１】
そして、Ｓ−ＧＷ３００からのデータ送信が開始される（Ｓ１３４）。
【０１６２】
以上により、２つの基地局２００−１，２００−２と端末１００との間でデータ接続パスが確立され、Ｉｎｔｅｒ−ｅＮＢ  ＣＡによる無線通信が行われる。
【０１６３】
図１４は、端末１００と基地局２００−２との間のデータ接続パスが確立されるシーケンス例を表わしているが、マスター基地局２００−１がＳ−ＧＷ３００へのパス設定を行う例を表わしている。
【０１６４】
図１４においてＳ１２０からＳ１２９までの処理は、図１３の例と同様である。基地局２００−２は、端末１００から接続完了通知（Ｓ１２９）を受信すると、接続完了通知をマスター基地局２００−１へ送信する（Ｓ１４０）。上述したように、各基地局の制御部２８０は互いに接続されて、自局がマスター基地局である旨をマスター基地局２００−１の制御部２８０が他の基地局の制御部２８０に通知している。基地局２００−２の制御部２８０は、この通知に基づいて、マスター基地局２００−１の制御部２８０へ接続完了通知を送信する。
【０１６５】
次に、マスター基地局２００−１は、パス設定要求をＳ−ＧＷ３００へ送信する（Ｓ１４１）。パス設定要求には、例えば、基地局２００−２と端末１００との間のパス設定要求が含まれる。このように、端末１００と無線リンクを確立した他の基地局２００−２に対するパス設定を、マスター基地局２００−１が一括してＳ−ＧＷ３００に要求している。
【０１６６】
例えば、マスター基地局２００−１の制御部２８０は受信した接続完了通知（Ｓ１４０）をレイヤ３処理部２７０へ通知する。そして、レイヤ３処理部２７０は当該通知から端末１００と基地局２００−３との間の接続パスに関する情報を抽出し、当該情報を含むパス設定要求を生成してＳ−ＧＷ３００へ送信する。
【０１６７】
Ｓ−ＧＷ３００は、パス設定要求を受信すると（Ｓ１４１）、当該要求に応じたパスの設定を行い、パス設定を基地局２００−２へ送信する（Ｓ１３１）。以後は、図１３の例と同様である。
【０１６８】
以上により、端末１００と基地局２００−２の接続パスが追加されて、端末１００と２つの基地局２００−１，２００−２との間の接続パスが確立される。
【０１６９】
その後、端末１００が２つの基地局２００−１，２００−２とＩｎｔｅｒ−ｅＮＢ  ＣＡにより無線通信を行っているとき、端末１００のトラヒック量が増加すると、さらに、３つ目の基地局２００−３に対する接続パス確立処理が行われる。この場合、図１３又は図１４の処理において、基地局２００−２を基地局２００−３に代えることで、端末１００と基地局２００−３との間で上述した処理と同様の接続パス確立処理が行われる。
【０１７０】
以上により、端末１００と３つの基地局２００−１〜２００−３との間でデータ転送パスが確立される。
【０１７１】
図１５は、３つの基地局２００−１〜２００−３と端末１００との間のチャネルマッピングの例を示している。図１５に示す例では、基地局２００−１は、論理チャネルＬＣＨ＃ａについては物理チャネルＰｈｙ＃１（周波数ｆ１）を用いて端末１００と通信する。また、基地局２００−２は論理チャネルＬＣＨ＃ｂについては物理チャネルＰｈｙ＃２（周波数ｆ２）を用いて端末１００と通信する。さらに、基地局２００−３は、論理チャネルＬＣＨ＃ｃについては物理チャネルＰｈｙ＃３（周波数ｆ３）を用いて端末１００と通信する。
【０１７２】
各基地局２００−１〜２００−３と端末１００は、上述したように、物理チャネル〜論理チャネルに関する情報をメモリなどに保持することで、例えば図１５に示すようなチャネルマッピングを各々保持することができる。
【０１７３】
ここで、論理チャネルについては、例えば、論理チャネル番号により設定されてもよい。例えば、論理チャネル番号は論理チャネルの種類により異なる番号となっている。例えば、ユーザデータ用の個別通信チャネルＤＴＣＨを表わす論理チャネル番号は「０」から「１０」が用いられ、端末個別制御信号用の個別制御チャネルＤＣＣＨを表わす論理チャネル番号は「１１」から「２０」などである。論理チャネル番号の番号については、他と識別可能な識別符号であれば、番号以外のものであってもよい。
【０１７４】
そして、本第２の実施の形態においては、各基地局２００−１〜２００−３では同一種類の論理チャネルであっても、異なる論理チャネル番号により論理チャネルが設定される。例えば、基地局２００−１における個別通信チャネルＤＴＣＨの論理チャネル番号は「１」、基地局２００−２における個別通信チャネルＤＴＣＨの論理チャネル番号は「２」などである。
【０１７５】
このように同一種類の論理チャネルであっても、基地局２００−１〜２００−３により異なる論理チャネル番号となっているのは、例えば、端末１００において基地局２００−１〜２００−３から受信されるデータのシーケンス番号を識別できるようにするためである。
【０１７６】
上述したように、データのシーケンス番号は、例えば、各基地局２００−１〜２００−３のＰＤＣＰ送信部２５４がＭＭＥ／Ｓ−ＧＷ３００から受信したデータに対して所定のパケット単位（例えばＰＤＣＰ  ＰＤＵ）で割り振る。この割り振りは、各基地局２００−１〜２００−３が独立して行っている。従って、基地局２００−１から送信されるデータと、基地局２００−２から送信されるデータは、異なるデータにも拘わらず同一のシーケンス番号となって端末１００が受信する場合もある。このような場合、端末１００は同一のデータとしていずれか一方を破棄してしまい、データを損失する場合もある。
【０１７７】
このようなデータの損失を防止するために、例えば、論理チャネル番号を同一種類の論理チャネルであっても各基地局２００−１〜２００−３で異なる番号にし、同一のシーケンス番号が割り振られても端末１００において異なるデータであると識別できるようにしている。
【０１７８】
例えば、各基地局２００−１〜２００−３の制御部２８０は、他の基地局の制御部２８０との間で同一種類の論理チャネルであっても異なる論理チャネル番号となるように調整を行う。そして、制御部２８０は、ＰＤＣＰ送信部２５４に対して論理チャネル番号を通知し、ＰＤＣＰ送信部２５４においてＰＤＣＰ  ＰＤＵ毎に論理チャネル番号とシーケンス番号が送信データに付加される。
【０１７９】
＜５．２  データフォワーディング処理の動作例＞
次に、端末１００と３つの基地局２００−１〜２００−３との間でデータ転送パスが確立された後、データフォワーディングが行われる動作例について説明する。
【０１８０】
図１１に戻り、端末１００と３つ基地局２００−１〜２００−３との間でデータ転送パスが確立された後（Ｓ１０）、Ｉｎｔｅｒ−ｅＮＢ  ＣＡによる無線通信が行われる。
【０１８１】
端末１００は、周期的に受信信号電力やＳＩＲ（Signal  to  Interference  Ratio）などの無線品質を測定し、各基地局２００−１〜２００−３との間の無線状態を監視している。端末１００は、基地局２００−２に対する無線品質が閾値より低下したことを検出すると、基地局２００−２に対する無線品質と、他の基地局２００−１，２００−３に対する無線品質を含むＭｅａｓｕｒｅｍｅｎｔ  Ｒｅｐｏｒｔを基地局２００−１へ送信する（Ｓ１１）。このＭｅａｓｕｒｅｍｅｎｔ  Ｒｅｐｏｒｔの送信により、例えば、基地局２００−１に対して無線接続状態の変更に関するトリガを与えている。
【０１８２】
なお、図１１の例では、端末１００はマスター基地局２００−１にＭｅａｓｕｒｅｍｅｎｔ  Ｒｅｐｏｒｔを送信しているが、他の基地局２００−３へ送信してもよい。この場合、基地局２００−３はＭｅａｓｕｒｅｍｅｎｔ  Ｒｅｐｏｒｔに含まれる情報をマスター基地局２００−１へ送信する。
【０１８３】
次に、マスター基地局２００−１は、無線品質に基づいて端末１００と基地局２００−２との間の無線通信は困難であると判断し、端末１００と基地局２００−２との間の無線通信の切断と、データフォワーディング処理の開始を決定する。そして、マスター基地局２００−１は、基地局２００−２の保持するデータの転送先（又はフォワーディング先）となる基地局を選択する（Ｓ１２）。
【０１８４】
例えば、マスター基地局２００−１の制御部２８０はＭｅａｓｕｒｅｍｅｎｔ  Ｒｅｐｏｒｔに含まれる各無線基地局２００−１〜２００−３の受信品質をレイヤ３処理部２７０から受け取る。そして、制御部２８０は、基地局２００−２の無線品質が閾値以下であるため無線通信は困難であると判断し、データフォワーディング処理の開始を決定する。このとき、制御部２８０は、例えば、最も無線品質の良い基地局をデータフォワーディングの転送先の基地局として選択する。図１１の例では、基地局２００−３が転送先の基地局として選択されている。
【０１８５】
次に、基地局２００−１は、データの転送先となる基地局２００−３に対してＦｏｒｗａｒｄｉｎｇ開始準備要求を送信する（Ｓ１４）。この要求には、データ転送元となる基地局２００−２の情報と、基地局２００−２において使用された論理チャネルＬＣＨ＃ｂに関する情報が含まれる。
【０１８６】
例えば、基地局２００−１の制御部２８０は、基地局２００−２との接続要求（図１３のＳ１２５）や接続応答（Ｓ１２６）により、基地局２００−２で使用する論理チャネル番号を取得できる。従って、基地局２００−１は、基地局２００−２において使用された論理チャネルＬＣＨ＃ｂの論理チャネル番号をＦｏｒｗａｒｄｉｎｇ開始準備要求に含めることができる。
【０１８７】
Ｆｏｒｗａｒｄｉｎｇ開始準備要求を受信した基地局２００−３は、データフォワーディングの受け入れ可否を判断し、可能な場合はＦｏｒｗａｒｄｉｎｇ開始準備要求により指定された新規論理チャネルＬＣＨ＃ｂをオープンする（Ｓ１５）。図１１の例では、基地局２００−３はデータフォワーディング受け入れ可能と判断している。
【０１８８】
ここで、基地局２００−３が基地局２００−２の論理チャネルＬＣＨ＃ｂをオープンする（Ｓ１５）のは、例えば、以下の理由からである。
【０１８９】
すなわち、上述したように端末１００へ送信されるデータについては所定単位で基地局２００−１〜２００−３毎に異なる論理チャネル番号が付与される。Ｓ−ＧＷ３００から基地局２００−２へ送信されたＤａｔａ＃１（例えばＳ１３）にも論理チャネルＬＣＨ＃ｂの番号が付与される。このＤａｔａ＃１は、データフォワーディングにより基地局２００−２から基地局２００−３へ転送される。基地局２００−３は、Ｄａｔａ＃１に対して付与された論理チャネルＬＣＨ＃ｂの番号を用いて、データフォワーディングされたＤａｔａ＃１を端末１００へ送信できれば、論理チャネルの番号の変更などの煩雑は処理をしなくてもよい。また、端末１００においても論理チャネルＬＣＨ＃ｂを用いてデータを受信できれば、論理チャネルの番号の変更といった処理を行わなくても良い。
【０１９０】
このように処理を簡素化するなどの理由により、基地局２００−３は、基地局２００−２が使用した論理チャネルＬＣＨ＃ｂをオープンしている。従って、このオープンした論理チャネルＬＣＨ＃ｂは、基地局２００−３において一時的にオープンした論理チャネルであって、本第２の実施の形態においてはデータフォワーディングが終了すると論理チャネルＬＣＨ＃ｂを自律的にクローズさせるようにしている。詳細は後述する。
【０１９１】
そして、本第２の実施の形態では、基地局２００−３は、端末１００との通信に使用するトランスポートチャネルＴｒＣＨ＃３に対して、オープンした論理チャネルＬＣＨ＃ｂを結び付けている（バインドする）。２つの論理チャネルＬＣＨ＃ｂ，ＬＣＨ＃ｃがバインドされた後のチャネルマッピングの例を図１６に示す。
【０１９２】
図１６に示すように、基地局２００−３では、２つの論理チャネルＬＣＨ＃ｂ，ＬＣＨ＃ｃを同一のトランスポートチャネルＴｒＣＨ＃３にマッピングしている。すなわち、基地局２００−３は、論理チャネルＬＣＨ＃ｂの送信は物理チャネルＰｈｙ＃３を用いて端末１００に送信し、論理チャネルＬＣＨ＃ｃの送信も物理チャネルＰｈｙ＃３を用いて送信する。
【０１９３】
これにより、例えば、基地局２００−３は新規にオープンした論理チャネル（Ｓ１５）に対して、新たに物理チャネルを用いることなく、既に利用している物理チャネルＰｈｙ＃３を用いて端末１００と無線通信することが可能となる。従って、物理チャネルの有効活用化を図ることもできる。
【０１９４】
例えば、レイヤ３処理部２７０が２つの論理チャネルＬＣＨ＃ｂ，ＬＣＨ＃ｃが同一のトランスポートチャネルＴｒＣＨ＃３と対応するようにメモリに保持することで、バインドに関する処理が行われる。
【０１９５】
また、例えば、レイヤ３処理部２７０が論理チャネルＬＣＨ＃ｂに対するメモリの所定領域を確保したり、パラメータを初期化するなどの処理を行うことで、論理チャネルＬＣＨ＃ｂをオープンする処理が行われる。このようなメモリは、例えば、レイヤ３処理部２７０の内部や外部に備えられている。
【０１９６】
図１１に戻り、基地局２００−３は新規論理チャネルＬＣＨ＃ｂをオープンすると（Ｓ１５）、Ｆｏｒｗａｒｄｉｎｇ開始準備要求に対する応答をマスター基地局２００−１へ送信する（Ｓ１６）。
【０１９７】
この応答には、例えば、論理チャネルの状態変更後の情報が含まれる。当該情報としては、例えば、新規にオープンした論理チャネルＬＣＨ＃ｂがトランスポートチャネルＴｒＣＨ＃３とバインドされて、物理チャネルＰｈｙ＃ｃを用いることを示す情報などである。
【０１９８】
例えば、レイヤ３処理部２７０はメモリに対してバインドに関する処理を終了すると、バインドに関する情報を制御部２８０へ通知する。そして、制御部２８０は、バインドに関する情報に基づいて、基地局２００−３のチャネル情報を含む応答を生成し、基地局２００−１の制御部２８０へ通知する。
【０１９９】
次に、マスター基地局２００−１は、データ転送パス切り替え要求（又はデータ転送経路切り替え要求）をＳ−ＧＷ３００へ送信する（Ｓ１７）。
【０２００】
データ転送パス切り替え要求には、例えば、基地局２００−２から基地局２００−３へデータ転送パスを変更する旨の要求が含まれる。例えば、レイヤ３処理部２７０においてデータ転送パス切り替え要求が生成されて、レイヤ２処理部２５０−１〜２５０−ｎを介してＳ−ＧＷ３００に送信される。
【０２０１】
Ｓ−ＧＷ３００は、データ転送パス切り替え要求を受信すると、データ転送パスの切り替えを行う。これにより、Ｓ−ＧＷ３００から基地局２００−２へはデータが転送されなくなり、基地局２００−２へ転送されなくなったデータは、基地局２００−３へ転送される。
【０２０２】
Ｓ−ＧＷ３００は、データ転送パスの切り替えを行うと応答を基地局２００−１へ送信する（Ｓ１８）。
【０２０３】
次に、マスター基地局２００−１は、基地局２００−２に対してＦｏｗａｒｄｉｎｇ開始要求を送信する（Ｓ１９）。この要求を受けた基地局２００−２は、基地局２００−３に対して送達未確認データの転送（又はフォワーディング）を開始する（Ｓ２０）。転送されるデータは、図１１の例では、基地局２００−２が受信したＤａｔａ＃１（Ｓ１３）である。
【０２０４】
例えば、以下のようにしてデータフォワーディング（Ｓ２０）が行われる。すなわち、マスター基地局２００−１のレイヤ３処理部２７０が応答を受信すると（Ｓ１８）、その旨を制御部２８０へ通知する。制御部２８０では、当該通知を受け取ると、Ｆｏｗａｒｄｉｎｇ開始要求を生成し、基地局２００−２の制御部２８０へ通知する（Ｓ１９）。基地局２００−２の制御部２８０は、当該要求を受信すると、送達未確認データ（例えばＤａｔａ＃１）を基地局２００−３へ送信するようＰＤＣＰ送信部２５４に対して指示する。この指示を受けたＰＤＣＰ送信部２５４が基地局２００−３のＰＤＣＰ送信部２５４へ送達未確認データを送信することで、データフォワーディングが行われる。
【０２０５】
また、基地局２００−１は、端末１００に対して、無線リンク状態変更要求を送信する（Ｓ２１）。
【０２０６】
無線リンク状態変更要求には、例えば、基地局２００−２で使用された物理チャネル（例えば物理チャネルＰｈｙ＃２（周波数ｆ２））のクローズに関する情報、基地局２００−２で使用された論理チャネルＬＣＨ＃ｂの状態変更情報、基地局２００−２で使用された論理チャネルＬＣＨ＃ｂをクローズするまでの時間を示すタイマー値が含まれる。
【０２０７】
論理チャネルＬＣＨ＃ｂの状態変更情報は、例えば、論理チャネルＬＣＨ＃ｂのバインド先をトランスポートチャネルＴｒＣＨ＃３へ変更することを示す情報などが含まれる。この場合、基地局２００−３におけるバインドに関する情報をマスター基地局２００−１が端末１００に送信している。例えば、基地局２００−３がバインドに関する情報を応答（Ｓ１６）に含めて送信することでマスター基地局２００−１がバインドに関する情報を取得できる。
【０２０８】
また、論理チャネルＬＣＨ＃ｂは、端末１００においてタイマー値により自動的にクローズされる。論理チャネルＬＣＨ＃ｂは、例えば、データフォワーディング元の基地局２００−２で用いられる論理チャネルであり、データフォワーディングが終了すると使用することがなくなる論理チャネルである。タイマー値によって、端末１００においては自動的に論理チャネルＬＣＨ＃ｂをクローズすることができるため、例えば、基地局２００−３は無線リンク状態変更要求以外の通知を送信することなく自律的又は自動的にクローズさせることができる。
【０２０９】
このタイマー値は固定値でもよいし、フォワーディングする未送達確認データのデータ量に応じた変動値であってもよい。変動値の場合は、基地局２００−１は基地局２００−２又は基地局２００−３からフォワーディングするデータのデータ量の情報を受信して、当該情報に基づいて変動値が設定される。
【０２１０】
なお、無線リンク状態変更要求は、Ｌ１信号又はＬ２信号として端末１００へ送信される。
【０２１１】
図１７（Ａ）はＭＡＣデータに無線リンク状態変更要求が含まれる例、図１７（Ｂ）はＬ１データに無線リンク状態変更要求が含まれる例を夫々表わしている。
【０２１２】
図１７（Ａ）に示すように、ＭＡＣデータのヘッダ領域には、ＭＡＣデータのペイロード領域に無線リンク状態変更要求が含まれるか否かのフラグ情報が含まれる。端末１００のＭＡＣ受信部１５１は、ＭＡＣデータのヘッダ領域を確認することで、無線リンク状態変更要求が含まれるか否かを確認でき、確認できれば無線リンク状態変更要求を抽出できる。
【０２１３】
無線リンク状態変更要求は、例えば、Ｌ３信号として端末１００に送信される場合もある。このような場合、端末１００ではレイヤ３処理部１７０によって無線リンク状態変更要求を受信する。
【０２１４】
従って、無線リンク状態変更要求がＬ３信号ではなくＬ２信号として送信されることで、端末１００では、レイヤ３処理部１７０ではなくレイヤ２処理部１５０において無線リンク状態変更要求を確認することができ、例えば、処理の高速化や簡素化を図ることができる。
【０２１５】
図１７（Ｂ）はＬ１データに無線リンク状態変更要求が含まれ、無線リンク状態変更要求がＬ１データに含まれるか否かの情報が制御チャネルにより送信される例を表わしている。この場合でも、端末１００ではレイヤ１処理部１３０において制御チャネルを確認することで無線リンク状態変更要求の有無を確認できる。従って、無線リンク状態変更要求がＬ３信号として送信される場合と比較して、レイヤ１処理部１３０においてＬ１データから無線リンク状態変更要求を抽出することができるため、処理の高速化や簡素化を図ることができる。
【０２１６】
また、制御チャネルの中に図１７（Ａ）のＭＡＣデータのように、フラグ情報と無線リンク状態変更要求を含めても良い。
【０２１７】
図１１に戻り、端末１００は、受信した無線リンク状態変更要求を受信すると（Ｓ２１）、基地局２００−２の物理チャネルのクローズ、論理チャネルＬＣＨ＃ｂの状態変更、タイマー起動などの処理を行う。
【０２１８】
端末１００では、論理チャネルＬＣＨ＃ｂの状態変更により、例えば図１６に示すように、基地局２００−２の物理チャネルＰｈｙ＃２（周波数ｆ２）がクローズされ、２つの論理チャネルＬＣＨ＃ｂ，＃ｃはトランスポートチャネルＴｒＣＨ＃３にマッピングされる。
【０２１９】
例えば、端末１００のレイヤ３処理部１７０は、メモリに保持された物理チャネルＰｈｙ＃２に関する情報を削除し、２つの論理チャネルＬＣＨ＃ｂ，＃ｃをトランスポートチャネルＴｒＣＨ＃３にマッピングするように情報をメモリに保持することで処理が行われる。
【０２２０】
また、タイマーの起動とカウントは、例えば、端末１００のレイヤ３処理部１７０において行われる。
【０２２１】
図１１に戻り、端末１００は、データの送達確認情報（例えばＰＤＣＰ  ＳＴＡＴＵＳ  ＰＤＵ）を基地局２００−３へ送信する（Ｓ２２）。
【０２２２】
例えば、端末１００は、無線リンク状態変更要求（Ｓ２１）を受信するまでに基地局２００−２から送信されたデータを正常に受信できたとき、正常に受信できたデータのうち、最新のデータのシーケンス番号を基地局２００−３へ送信する。例えば、端末１００は論理チャネルＬＣＨ＃ｂを用いてＰＤＣＰ  ＳＴＡＴＵＳ  ＰＤＵを送信する。
【０２２３】
一方、基地局２００−３では、フォワーディングされた送達未確認データを受信すると（Ｓ２０）、タイマーを起動させる。基地局２００−３は、一時的にオープンした論理チャネルＬＣＨ＃ｂをクローズするための時間をカウントする。タイマーの起動とカウントは、例えば、基地局２００−３の制御部２８０で行われる。また、タイマー値が変動値の場合、フォワーディングされた送達未確認データのデータ量を例えば制御部２８０が測定し、制御部２８０がデータ量に応じたタイマー値を設定してもよい。
【０２２４】
また、基地局２００−３は、ＰＤＣＰ  ＳＴＡＴＵＳ  ＰＤＵを受信すると（Ｓ２２）、フォワーディングされた送達未確認データのうち、ＰＤＣＰ  ＳＴＡＴＵＳ  ＰＤＵに基づいて送達確認完了済みのデータを破棄し（Ｓ２３）、残りのデータを端末１００へ送信する（Ｓ２４）。
【０２２５】
例えば、レイヤ３処理部２７０は、ＰＤＣＰ  ＳＴＡＴＵＳ  ＰＤＵに含まれるシーケンス番号を抽出し、当該シーケンス番号の次以降のシーケンス番号を有するデータを送信するようＰＤＣＰ送信部２５４へ指示する。これにより、ＰＤＣＰ送信部２５４は、送達未確認データのうち送達確認完了済みのデータを破棄し、残りのデータを端末１００へ送信することができる。
【０２２６】
なお、図１１の例では、フォワーディングされたＤａｔａ＃１を破棄しないで、Ｄａｔａ＃１の全てを基地局２００−３が端末１００へ送信している。基地局２００−３は、オープンした論理チャネルＬＣＨ＃ｂ（例えばＳ１５）を用いて残りのデータを端末１００へ送信する。
【０２２７】
次に、端末１００は、データを正常に受信すると送達確認（例えばＡＣＫ（Acknowledge）信号）を基地局２００−３へ送信する（Ｓ２５）。
【０２２８】
基地局２００−３は、送達確認を端末１００から受信すると、フォワーディングされたデータの端末１００への送達確認をＳ−ＧＷ３００へ送信する（Ｓ２６）。
【０２２９】
基地局２００−３では、論理チャネルＬＣＨ＃ｂを用いた送信が終了し、その後、タイマーが満了する。基地局２００−３は、タイマー満了後、データ転送パス切断要求（又はデータ転送経路切断要求）をＳ−ＧＷ３００へ送信する（Ｓ２７）。
【０２３０】
データ転送パス切断要求には、例えば、オープンした論理チャネルＬＣＨ＃ｂ（Ｓ１５）に関するデータ転送パス、或いはＳ−ＧＷ３００と基地局２００−２との間のデータ転送パスの切断を要求する旨の情報が含まれる。例えば、制御部２８０はタイマー満了をカウントすると、その旨をレイヤ３処理部２７０へ通知し、レイヤ３処理部２７０が、切断対象となる論理チャネルＬＣＨ＃ｂに関する情報などを含むデータ転送パス切断要求を生成してＳ−ＧＷ３００へ送信する。
【０２３１】
そして、基地局２００−３は、論理チャネルＬＣＨ＃ｂをクローズし（Ｓ２８）、端末１００においてもタイマー満了後論理チャネルＬＣＨ＃ｂをクローズする（Ｓ２９）。このような論理チャネルのクローズは、例えば、基地局２００−３のレイヤ３処理部２７０と端末１００のレイヤ３処理部１７０などでメモリなどに保持した論理チャネルＬＣＨ＃ｂに関する情報を削除するなどにより処理が行われる。
【０２３２】
なお、基地局２００−３におけるデータ転送パスの切断（Ｓ２７）、及び論理チャネルＬＣＨ＃ｂのクローズは、データの送達確認（Ｓ２５）を待たずに行われるようにタイマー値が設定されてもよい。タイマーの起動タイミングとしては、例えば、基地局２００−２からフォワーディングされたデータの受信開始時（Ｓ２０）や論理チャネルＬＣＨ＃ｂをオープンした時（Ｓ１５）であってもよい。タイマー値は、Ｆｏｒｗａｒｄｉｎｇ開始準備要求（Ｓ１４）に含まれて、例えば、制御部２８０において設定されてもよい。
【０２３３】
このように本第２の実施の形態においては、端末１００と３つの基地局２００−１〜２００−３との間でデータ転送パスが確立された状態（Ｓ１０）で、データフォワーディングが行われる（Ｓ２０）。
【０２３４】
従って、データフォワーディング先の基地局２００−３と端末１００との間で別途データ転送パス（又は無線リンク）を確立するための処理が行われず、そのため処理遅延を低減させることができる。
【０２３５】
より具体的には、端末１００との間でデータ転送パスが確立されている基地局２００−３を基地局２００−１が選択し（例えば図１１のＳ１１）、基地局２００−１がＭＭＥ／Ｓ−ＧＷ３００へデータ転送パス状態の変更を通知し（例えばＳ１７）、基地局２００−２が保持する送達未確認データを基地局２００−２が基地局２００−３へ転送し（例えばＳ２０）、無線リンク状態の変更を端末１００へ通知し（例えばＳ２１）、そして、送達未確認データを基地局２００−３から端末１００へ送信（Ｓ２４）するまでの処理を、一定時間内に行うことができる。
【０２３６】
また、端末１００と基地局２００−３との間でデータ転送パスが確立されているため（Ｓ１０）、基地局２００−２はデータを基地局２００−３へフォワーディングしても、基地局２００−３から端末１００へフォワーディングされたデータを送信できない事態を回避できる。この場合、基地局２００−３から端末１００へフォワーディングされたデータが送信されるため、通信の安定化を図ることができる。  
【０２３７】
［第３の実施の形態］
次に第３の実施の形態について説明する。図１８は第３の実施の形態における動作例を表わすシーケンス図である。本第３の実施の形態は、データフォワーディング元の基地局２００−２に対するパスを一時停止する例である。
【０２３８】
第２の実施の形態における動作例と同様に、本第３の実施の形態においても、端末１００と３つの基地局２００−１〜２００−３との間においてデータ転送パスが確立され（Ｓ１０）、基地局２００−２から基地局２００−３へデータフォワーディングが行われる（Ｓ２０）。
【０２３９】
マスター基地局２００−１は、Ｆｏｗａｒｄｉｎｇ準備開始要求（Ｓ１４）に対する応答を受信すると（Ｓ１６）、データ転送パスｓｕｓｐｅｎｄ要求（又はデータ転送経路一時停止要求）をＳ−ＧＷ３００へ送信する（Ｓ４０）。
【０２４０】
データ転送パスｓｕｓｐｅｎｄ要求は、例えば、データフォワーディング元の基地局２００−２へのデータ転送パスの一時停止を要求するものである。
【０２４１】
例えば、マスター基地局２００−１の制御部２８０は、応答（Ｓ１６）を基地局２００−３から受信すると、データフォワーディング元の基地局２００−２に対するデータ転送パスｓｕｓｐｅｎｄ要求を生成する。そして、制御部２８０は、生成したデータ転送パスｓｕｓｐｅｎｄ要求をレイヤ２処理部２５０−１〜２５０−ｎを介してＳ−ＧＷ３００へ送信する。
【０２４２】
Ｓ−ＧＷ３００は、データ転送パスｓｕｓｐｅｎｄ要求を受信すると、当該要求において指示されたデータ転送パスの経路を一時停止し、応答を基地局２００−１へ送信する（Ｓ４１）。
【０２４３】
例えば、Ｓ−ＧＷ３００の経路状態管理部３１０はマスター基地局２００−１からデータ転送パスｓｕｓｐｅｎｄ要求を受信すると、当該要求において指示された基地局２００−２への経路を一時停止させるよう経路選択部３２０に指示する。これにより、Ｓ−ＧＷ３００から基地局２００−２へのデータの送信が一時停止される。なお、経路状態管理部３１０は、例えば、経路選択部３２０への一時停止を指示した後、データ転送パスｓｕｓｐｅｎｄ要求に対する応答を生成し、マスター基地局２００−１へ送信する。
【０２４４】
その後、基地局２００−２から基地局２００−３へのデータフォワーディングが行われ（Ｓ２０）、無線リンク状態変更要求がマスター基地局２００−１から端末１００へ通知される（Ｓ２１）。
【０２４５】
その後、基地局２００−３は、フォワーディングされた送達未確認データの全部又は一部を端末１００へ送信し（Ｓ２３，Ｓ２４）、端末１００から送達確認（ＡＣＫ信号）を受信すると（Ｓ２５）、送達確認を基地局２００−２へ送信する（Ｓ４２）。
【０２４６】
基地局２００−３はＳ−ＧＷ３００ではなく、基地局２００−２へ送達確認を送信するのは、Ｓ−ＧＷ３００は基地局２００−３との間にデータ転送パスを確立しておらず、フォワーディング元の基地局２００−２と接続しているためである。例えば、基地局２００−３の制御部２８０がレイヤ３処理部２７０から端末１００からの送達確認を受信したことを示す通知を受け取ると、送達確認を生成して基地局２００−２の制御部２８０へ送信する。
【０２４７】
基地局２００−２は、送達確認を基地局２００−３から受信すると、受信した送達確認をＳ−ＧＷ３００へ送信する（Ｓ４２）。例えば、基地局２００−２の制御部２８０が基地局２００−３から送達確認を受信すると、レイヤ２処理部２５０−１〜２５０−ｎを介してＳ−ＧＷ３００へ送信する。
【０２４８】
基地局２００−３は、送達確認を基地局２００−２へ送信後（Ｓ４２）、論理チャネルＬＣＨ＃ｂに対するデータ転送パス切断要求を基地局２００−２へ送信する（Ｓ４３）。
【０２４９】
データ転送パス切断要求が基地局２００−２に送信されるのは、Ｓ−ＧＷ３００は基地局２００−３との間にデータ転送パスを確立しておらず、フォワーディング元の基地局２００−２と接続しているためである。また、基地局２００−２に対して論理チャネルＬＣＨ＃ｂをクローズさせるためである。例えば、基地局２００−３の制御部２８０は、送達確認を基地局２００−２へ送信後、論理チャネルＬＣＨ＃ｂに対するデータ転送パス切断要求を生成し、当該要求を基地局２００−２の制御部２８０へ送信する。
【０２５０】
基地局２００−２は、データ転送パス切断要求を受信すると、当該要求をＳ−ＧＷ３００へ送信する（Ｓ４３）。例えば、基地局２００−２の制御部２８０は基地局２００−３からデータ転送パス切断要求を受信すると、レイヤ２処理部２５０−１〜２５０−ｎを経由して当該要求をＳ−ＧＷ３００へ送信する。
【０２５１】
Ｓ−ＧＷ３００では、データ転送パス切断要求に従って、基地局２００−２へのデータ転送パスを切断する処理を行う。例えば、経路状態管理部３１０は、基地局２００−２へデータを送信しないように経路選択部３２０へ指示することで処理が行われる。
【０２５２】
そして、基地局２００−２，２００−３では、論理チャネルＬＣＨ＃ｂに対するデータ転送パス切断要求を送信後、論理チャネルＬＣＨ＃ｂをクローズさせる（Ｓ４４）。
【０２５３】
図１９は第３の実施の形態におけるチャネルマッピングの例を表わす図である。基地局２００−３においては、第２の実施の形態と同様に論理チャネルＬＣＨ＃ｂがトランスポートチャネル＃３とバインドされている。また、Ｓ−ＧＷ３００はデータ転送パスｓｕｓｐｅｎｄ要求に従って、基地局２００−２へのデータ送信を一時停止している。
【０２５４】
本第３の実施の形態においても、端末１００と３つの基地局２００−１〜２００−３との間でデータ転送パスが確立された状態（Ｓ１０）で、データフォワーディングが行われる（Ｓ２０）。従って、データフォワーディング先の基地局２００−３と端末１００との間で別途データ転送パスを確立するための処理が行われず、処理遅延を低減させることができる。
【０２５５】
また、端末１００と基地局２００−３との間でデータ転送パスが確立されているため（Ｓ１０）、基地局２００−２はデータを基地局２００−３へフォワーディングしても、基地局２００−３から端末１００へフォワーディングされたデータが送信される。従って、通信の安定化を図ることができる。
【０２５６】
［第４の実施の形態］
次に第４の実施の形態について説明する。図２０は本第４の実施の形態における動作例を表わすシーケンス図である。
【０２５７】
上述した第２及び第３の実施の形態では、各基地局２００−１〜２００−３がデータに対してシーケンス番号を独立に割り振る例について説明した。本第４の実施の形態では、Ｓ−ＧＷ３００がデータに対してシーケンス番号を割り振る例について説明する。この場合、各基地局２００−１〜２００−３のＰＤＣＰ送信部２５４ではシーケンス番号を割り振ることはなく、各基地局２００−１〜２００−３における処理の簡素化や高速化を図ることができる。
【０２５８】
図２０について説明する。マスター基地局２００−１は、データフォワーディングする転送先の基地局を決定する（Ｓ１２）と、データ転送パス切断要求（又はデータ転送経路切断要求）をＳ−ＧＷ３００へ送信する（Ｓ５０）。
【０２５９】
例えば、マスター基地局２００−１の制御部２８０が転送先の基地局を決定すると、データフォワーディングの転送元の基地局に関する情報を含むデータ転送パス切断要求を生成して、レイヤ２処理部２５０−１〜２５０−ｎを介してＳ−ＧＷ３００へ送信する。
【０２６０】
Ｓ−ＧＷ３００は、データ転送パス切断要求を受信すると（Ｓ５０）、当該要求に従ってパスを切断する。
【０２６１】
例えば、Ｓ−ＧＷ３００の経路状態管理部３１０は、データ転送パス切断要求をマスター基地局２００−１から受信すると、当該要求に従って、基地局２００−２に対してデータを送信しないように経路選択部３２０に指示する。これにより、Ｓ−ＧＷ３００から基地局２００−２へのパスが切断されて、データが基地局２００−２へ送信されなくなる。経路状態管理部３１０は、パスを切断完了後に応答を生成し、マスター基地局２００−１へ送信する。
【０２６２】
マスター基地局２００−１は、Ｓ−ＧＷ３００からデータ転送パス切断要求に対する応答をＳ−ＧＷ３００から受信すると（Ｓ５１）、Ｆｏｗａｒｄｉｎｇ開始準備要求を基地局２００−３へ送信する（Ｓ１４）。
【０２６３】
その後、基地局２００−２から基地局２００−３へデータフォワーディングが行われる（Ｓ１６，Ｓ１９〜Ｓ２０）。
【０２６４】
基地局２００−３は、データフォワーディングにより送達未確認データを受信すると、論理チャネルＬＣＨ＃ｂの番号を論理チャネルＬＣＨ＃ｃの番号へ変換（又は変更）する（Ｓ５３）。
【０２６５】
本第４の実施の形態では、論理チャネル番号を変換することで、新規に論理チャネルをオープンする場合と比較して、例えば、メモリの有効活用化を図ることができる。
【０２６６】
例えば、第２及び第３の実施の形態で説明したように、新規に論理チャネルをオープンする場合、基地局２００−３はメモリの所定領域を新たに確保して、当該領域を利用して端末１００との無線通信などを行う。
【０２６７】
これに対して、本第４の実施の形態では、新規に論理チャネルをオープンすることはしないで、論理チャネルを変換するようにしているため、例えば、メモリに対して所定領域確保するなどの処理を行わなくてもよい。この場合、基地局２００−３は、論理チャネルＬＣＨ＃ｃとして既に利用しているメモリ領域を利用して、論理チャネルＬＣＨ＃ｂのデータに対する処理を行うことができる。
【０２６８】
論理チャネルの番号の変換は、例えば、以下のようにして行われる。すなわち、基地局２００−２の制御部２８０は、フォワーディング開始要求を受信すると（Ｓ１９）、フォワーディングする送達未確認データ（Ｄａｔａ＃１）に対して、論理チャネルＬＣＨ＃ｂの番号を付与するようにＰＤＰＣ送信部２５４へ指示する。ＰＤＣＰ送信部２５４は、制御部２８０からの指示により、論理チャネルＬＣＨ＃ｂの番号を付与した送達未確認データを、基地局２００−３のＰＤＣＰ送信部２５４へ送信する。基地局２００−３のＰＤＣＰ送信部２５４は、基地局２００−３からデータを受信すると、データに付与された論理チャネルＬＣＨ＃ｂの番号を抽出する。ＰＤＣＰ送信部２５４は、抽出した論理チャネルＬＣＨ＃ｂの番号を制御部２８０へ通知する。そして、制御部２８０は、論理チャネルＬＣＨ＃ｂの番号を自局で用いる論理チャネルＬＣＨ＃ｃの番号に変換し、変換後の論理チャネルＬＣＨ＃ｃの番号をＰＤＣＰ送信部２５４へ出力する。ＰＤＣＰ送信部２５４は、変換後の論理チャネルＬＣＨ＃ｃの番号をデータフォワーディングを受けたデータに付与して、当該データの全部又は一部を端末１００へ向けて送信する。
【０２６９】
他方、マスター基地局２００−１は、無線リンク状態変更要求を端末１００へ送信する（Ｓ５４）。無線リンク状態変更要求には、例えば、クローズする物理チャネル、クローズする論理チャネル番号と変換後の論理チャネル番号が含まれる。
【０２７０】
クローズする論理チャネル番号は、例えば、データフォワーディング元の基地局で用いられる論理チャネル番号であり、図２０の例では、論理チャネルＬＣＨ＃ｂの番号である。例えば、マスター基地局２００−１の制御部２８０はフォワーディング開始準備要求（Ｓ１４）に含めた論理チャネルＬＣＨ＃ｂに関する情報に基づいてクローズする論理チャネルの番号を取得できる。
【０２７１】
また、変換後の論理チャネル番号は、例えば、データフォワーディング先の基地局で用いられる論理チャネル番号であり、図２０の例では、論理チャネルＬＣＨ＃ｃの番号である。例えば、マスター基地局２００−１の制御部２８０は応答（Ｓ１６）又はデータ転送パス確立処理（Ｓ１０）により基地局２００−３で用いる論理チャネルＬＣＨ＃ｃの番号を取得できる。制御部２８０はこのように取得したクローズ及び変換後の論理チャネルの番号を無線リンク状態変更要求に含めて送信することができる。
【０２７２】
無線リンク状態変更要求を受信した端末１００は、論理チャネルＬＣＨ＃ｂをクローズする（Ｓ５５）。また、端末１００は、ＰＤＣＰ  ＳＴＡＴＵＳ  ＰＤＵを基地局２００−３へ送信する（Ｓ２２）。論理チャネルＬＣＨ＃ｂのクローズと、ＰＤＣＰ  ＳＴＡＴＵＳ  ＰＤＵの送信は、例えば、端末１００のレイヤ３処理部１７０で行われる。
【０２７３】
なお、本第４の実施の形態では、基地局２００−３においては論理チャネルをオープンする処理はなく、端末１００や基地局２００−３はタイマーにより論理チャネルをクローズする処理は行われない。
【０２７４】
端末１００は、無線リンク状態変更要求に対する設定が終了すると、無線リンク状態変更要求に対する応答を基地局２００−１へ送信する（Ｓ５６）。例えば、端末１００のレイヤ３処理部１７０は論理チャネルＬＣＨ＃ｂに関する情報をメモリから削除し、その後、応答を生成して基地局２００−１へ向けて送信する。
【０２７５】
以上説明したように、本第４の実施の形態においても、端末１００と３つの基地局２００−１〜２００−３との間でデータ転送パスが確立された状態（Ｓ１０）で、データフォワーディングが行われる（Ｓ２０）。従って、データフォワーディング先の基地局２００−３と端末１００との間で別途データ転送パスを確立するための処理が行われず、そのため処理遅延を低減させることができる。
【０２７６】
また、端末１００と基地局２００−３との間でデータ転送パスが確立されているため（Ｓ１０）、基地局２００−２は基地局２００−３へデータをフォワーディングしても、基地局２００−３から端末１００へフォワーディングされたデータが送信される。従って、通信の安定化を図ることができる。
【０２７７】
本第４の実施の形態においては、Ｓ−ＧＷ３００においてシーケンス番号を割り振る例について説明した。例えば、Ｓ−ＧＷ３００以外の上位装置においてもシーケンス番号を割り振るようにしてもよい。この場合、Ｓ−ＧＷ３００はとくにシーケンス番号に対する処理を行うことなく、受信したデータを設定されたパスに従って各基地局２００−１〜２００−３へ送信する。
【０２７８】
［第５の実施の形態］
次に第５の実施の形態について説明する。第２から第４の実施の形態では、３つの基地局２００−１〜２００−３と端末１００との間でＩｎｔｅｒ−ｅＮＢ  ＣＡが行われる例について説明した。本第５の実施の形態では、２つの基地局２００−１，２００−２と端末１００との間でＩｎｔｅｒ−ｅＮＢ  ＣＡが行われる例について説明する。
【０２７９】
図２１は本第５の実施の形態における動作例を表わすシーケンス図である。図２１の例では、マスター基地局２００−１がデータフォワーディングの送信元の基地局、基地局２００−２が送信先の基地局となっている。  
【０２８０】
また、本第５の実施の形態においては、第２の実施の形態で説明したＦｏｒｗａｒｄｉｎｇ開始要求（Ｓ１９）は送信されない。本第５の実施の形態では、マスター基地局２００−１自身がデータフォワーディング元の基地局となっているため、このような開始要求を行うことなく、データフォワーディングを行うことができる。或いは、Ｆｏｒｗａｒｄｉｎｇ開始要求は、例えば、基地局２００−１の制御部２８０において発行されるものの外部へ出力されずに内部的に処理が行われてもよい。
【０２８１】
本第５の実施の形態においても、端末１００と２つの基地局２００−１，２００−２との間でデータ転送パスが確立された状態（Ｓ１０）で、データフォワーディングが行われる（Ｓ２０）。従って、データフォワーディング先の基地局２００−２と端末１００との間で別途データ転送パスを確立するための処理が行われず、そのため処理遅延を低減させることができる。
【０２８２】
また、端末１００と基地局２００−２との間でデータ転送パスが確立されているため（Ｓ１０）、基地局２００−１はデータを基地局２００−２へフォワーディングしても、基地局２００−２から端末１００へフォワーディングされたデータが送信される。従って、通信の安定化を図ることができる。
【０２８３】
なお、本第５の実施の形態においても、上述した第３の実施の形態で説明したデータ転送パスの一時停止に関する処理や、第４の実施の形態で説明した論理チャネルの変換などの処理を行うこともできる。
【０２８４】
［その他の実施の形態］
次にその他の実施の形態について説明する。
【０２８５】
第５の実施の形態では、２つの基地局２００−１，２００−２間でデータフォワーディング処理が行われる例について説明した。また、第２の実施の形態では、３つの基地局２００−１〜２００−３間でデータフォワーディング処理が行われる例を説明した。４つ以上の基地局間でデータフォワーディングが行われる場合も、第２の実施の形態などと同様に処理を行うことで実施可能である。  
【０２８６】
図２２は端末１００のハードウェア構成例を表わす図である。端末１００は、ＢＢ（ベースバンド）回路１８０とアプリケーション用処理回路１９０を備える。
【０２８７】
ＢＢ回路１８０は、無線回路１８１、変調回路１８２、コーデック回路１８３、ＤＳＰ（Digital  Signal  Processor）１８４、データバッファ１８５、及びプロセッサ１８６を備える。
【０２８８】
また、アプリケーション用処理回路１９０は、画像入出力デバイス１９１、画像コーデック回路１９２、音声入出力デバイス１９３、音声コーデック回路１９４、及びプロセッサ１９５を備える。図２２において点線で示された接続線は制御情報の授受を示し、実線で示された接続線はデータの授受を示す。点線と実線については図２３と図２４についても同様である。
【０２８９】
無線回路１８１は、デジタルベースバンド信号とアナログ無線周波数信号との変換などを行う。変調回路１８２は端末１００と基地局２００との間で送受信される信号のレイヤ１処理における変調処理及び復調処理を行う。コーデック回路１８３はレイヤ１処理における符号化処理及び復号化処理を行う。ＤＳＰ１８４は変調回路１８２とコーデック回路１８３を制御する。
【０２９０】
プロセッサ１８６は、レイヤ３処理とレイヤ２処理を実行する。また、プロセッサ１８６は、呼接続の状態管理などを行う。
【０２９１】
データバッファ１８５は送受信データを格納し、ＢＢ回路１８０とアプリケーション用処理回路１９０との間において送受信データを中継する。また、データバッファ１８５には、論理チャネルと物理チャネルの関係に関する情報が格納され、さらに、トランスポートチャネルに関する情報も格納される場合がある。さらに、データバッファ１８５には、論理チャネルの番号も格納される。
【０２９２】
画像入出力デバイス１９１は画像信号の入出力を行う。画像コーデック回路１９２は、端末１００と基地局２００との間で送受信される画像信号の信号処理を実行する。音声入出力デバイス１９３は音声信号を入出力する。音声コーデック回路１９４は、端末１００と基地局２００との間で送受信される音声信号の信号処理を実行する。プロセッサ１９５は、画像コーデック回路１９２と音声コーデック回路１９４を制御する。
【０２９３】
第２の実施の形態におけるＲＦ部１１０は、例えば、無線回路１８１に対応する。また、第２の実施の形態におけるレイヤ１処理部１３０は、例えば、変調回路１８２、コーデック回路１８３、及びＤＳＰ１８４に対応する。さらに、第２の実施の形態におけるレイヤ２処理部１５０とレイヤ３処理部１７０は、例えば、プロセッサ１８６に対応する。さらに、第２の実施の形態におけるアプリケーションレイヤ処理部１７５は、例えば、アプリケーション用処理回路１９０に対応する。
【０２９４】
図２３は基地局２００のハードウェア構成例を表わす図である。基地局２００は、無線回路２８５、変調回路２８６、コーデック回路２８７、データバッファ２８８、メモリ２８９、プロセッサ２９０、レイヤ２処理用補助回路２９１、及び管理情報バッファ２９２を備える。
【０２９５】
無線回路２８５は、デジタルベースバンド信号とアナログ無線周波数信号との間の変換を行う。変調回路２８６は、端末１００と基地局２００との間で送受信される信号のレイヤ１処理における変調処理及び復調処理を行う。コーデック回路２８７は、レイヤ１処理における符号化処理及び復号化処理を行う。データバッファ２８８と管理情報バッファ２９２は、送受信データを格納し、基地局２００とＭＭＥ／Ｓ−ＧＷ３００との間で送受信されるデータを中継する。
【０２９６】
メモリ２８９は、データに付与される論理チャネル番号やシーケンス番号が格納される。また、メモリ２８９は、論理チャネルと物理チャネルの関係に関する情報が格納され、さらに、トランスポートチャネルに関する情報も格納される場合がある。さらに、メモリ２８９には、基地局２００において論理チャネルＬＣＨをオープンしたときに所定領域が確保されて、当該領域を利用して送信データの読み出しや書き込みが行われる。
【０２９７】
プロセッサ２９０は、変調回路２８６とコーデック回路２８７の制御、レイヤ２処理及びレイヤ３処理、ユーザの接続状態の管理、スケジューリング処理などを実行する。レイヤ２処理用補助回路２９１は、レイヤ２処理の一部を実行する。
【０２９８】
第２の実施の形態におけるＲＦ部２１０は、例えば、無線回路２８５に対応する。また、第２の実施の形態におけるレイヤ１処理部２２０は、例えば、変調回路２８６、コーデック回路２８７、及びプロセッサ２９０に対応する。さらに、第２の実施の形態におけるレイヤ２処理部２５０−１〜２５０−ｎは、例えば、プロセッサ２９０、レイヤ２処理用補助回路２９１、データバッファ２８８、及び管理情報バッファに対応する。さらに、第２の実施の形態におけるレイヤ３処理部２７０と制御部２８０は、例えば、プロセッサ２９０とデータバッファ２８８に対応する。
【０２９９】
図２４はＭＭＥ／Ｓ−ＧＷ３００のハードウェア構成例を表わす図である。ＭＭＥ／Ｓ−ＧＷ３００は、管理情報バッファ３３０、データ転送処理補助回路３３１、データバッファ３３２、及びプロセッサ３３３を備える。
【０３００】
管理情報バッファ３３０は経路情報を格納する。管理情報バッファ３３０とデータバッファ３３２は、送受信データを格納し、基地局２００とＭＭＥ／Ｓ−ＧＷ３００との間において送受信データを中継する。データ転送処理補助回路３３１は、基地局２００とＭＭＥ／Ｓ−ＧＷ３００との間のデータ転送を補助する。
【０３０１】
プロセッサ３３３は、端末１００へのデータ送信のために選択可能な経路に関する経路情報を、端末１００毎に管理するユーザモビリティ処理を実行する。また、プロセッサ３３３は、端末１００へのデータをどの基地局２００に転送するかを判断する転送経路判断処理を実行する。さらに、プロセッサ３３３は、基地局２００から報告される所定の状態に関する通知を監視する。また、プロセッサ３３３は、基地局２００の所定の状態に応じて転送経路を判断する。さらに、プロセッサ３３３は、データに付加されるシーケンス番号を管理する処理を実行する。
【０３０２】
第２の実施の形態における経路状態管理部３１０は、例えば、管理情報バッファ３３０、データ転送補助回路３３１、及びプロセッサ３３３に対応する。また、第２の実施の形態における経路選択部３２０は、例えば、データ転送処理補助回路３３１、データバッファ３３２、及びプロセッサ３３３に対応する。
【０３０３】
なお、端末１００のプロセッサ１８６，１９５、基地局２００のプロセッサ２９０、及びＭＭＥ／Ｓ−ＧＷ３００のプロセッサ３３３、例えば、ＣＰＵ（Central  Processing  Unit）やＦＰＧＡ（Filed  Programmable  Gate  Array）、ＭＰＵ（Micro  Processing  Unit）としてもよい。
【符号の説明】
【０３０４】
１０：無線通信システム                
１００（１００−１〜１００−３）：端末装置
１１０：ＲＦ部                        １３０：レイヤ１処理部
１３５：測定部                        １５０：レイヤ２処理部
１７０：レイヤ３処理部                
１７５：アプリケーションレイヤ処理部
２００（２００−１〜２００−３）：基地局装置
２１０：ＲＦ部                        ２２０：レイヤ１処理部
２５０−１〜２５０−ｎ：レイヤ２処理部
２５４：ＰＤＣＰ送信部                ２７０：レイヤ３処理部
２８０：制御部                        ２８９：メモリ
２９０：プロセッサ                    ２９５−１：第１の送信部
２９５−２：第２の送信部              ３００：ＭＭＥ／Ｓ−ＧＷ
３１０：経路状態管理部
【図１】
2015104802.tif 000003
【図２】
2015104802.tif 000004
【図３】
2015104802.tif 000005
【図４】
2015104802.tif 000006
【図５】
2015104802.tif 000007
【図６】
2015104802.tif 000008
【図７】
2015104802.tif 000009
【図８】
2015104802.tif 000010
【図９】
2015104802.tif 000011
【図１０】
2015104802.tif 000012
【図１１】
2015104802.tif 000013
【図１２】
2015104802.tif 000014
【図１３】
2015104802.tif 000015
【図１４】
2015104802.tif 000016
【図１５】
2015104802.tif 000017
【図１６】
2015104802.tif 000018
【図１７】
2015104802.tif 000019
【図１８】
2015104802.tif 000020
【図１９】
2015104802.tif 000021
【図２０】
2015104802.tif 000022
【図２１】
2015104802.tif 000023
【図２２】
2015104802.tif 000024
【図２３】
2015104802.tif 000025
【図２４】
2015104802.tif 000026
【図２５】
2015104802.tif 000027
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
端末装置と、
第１又は第２の周波数帯域に属する第１の周波数を利用して前記端末装置と無線通信を行う第１の基地局装置と、
前記第１又は第２の周波数帯域に属する第２の周波数を利用して前記端末装置と無線通信を行う第２の基地局装置とを備え、前記第１及び第２の基地局装置は前記第１及び第２の周波数を夫々利用して第１及び第２のデータを前記端末装置へ同時に夫々送信する無線通信システムにおいて、
前記第１の基地局装置は、前記端末装置との間の無線通信品質が閾値以下となったとき、前記端末装置に対して送達確認のとれていない送達未確認データを、前記端末装置と無線通信リンクが確立された前記第２の基地局装置へ転送する第１の送信部を備え、
前記第２の基地局装置は、前記第１の基地局装置から受信した前記送達未確認データの全部又は一部を前記端末装置へ送信する第２の送信部を備えることを特徴とする無線通信システム。
【請求項２】
前記第２の送信部は、前記第１の基地局装置において前記送達未確認データを送信するために用いる第１の論理チャネルをオープンし、当該第１の論理チャネルを用いて前記送達未確認データの全部又は一部を送信し、
前記第２の基地局装置は、前記送達未確認データを前記第１の基地局装置から受信後、所定時間経過後に前記第１の論理チャネルをクローズする制御部を備えることを特徴とする請求項１記載の無線通信システム。
【請求項３】
前記第１の送信部は、前記第１の基地局装置において前記送達未確認データを送信するために用いる第１の論理チャネルをクローズする時間を示すタイマー値を前記端末装置へ送信し、
前記端末装置は前記タイマー値を受信後、前記タイマー値により表わされた時間経過後に前記第１の論理チャネルをクローズすることを特徴とする請求項１記載の無線通信システム。
【請求項４】
前記第２の送信部は、第２の論理チャネルに対応する前記第２の周波数を用いて前記第２のデータを前記端末装置へ送信し、前記第１の論理チャネルと前記第２の論理チャネルについては前記第２の周波数を用いて前記端末装置と無線通信を行うことを特徴とする請求項２記載の無線通信システム。
【請求項５】
前記第１の送信部は、前記第１の論理チャネルと前記第２の論理チャネルについては前記第２の周波数を用いて前記第２の基地局装置が前記端末装置と無線通信を行うことに関する状態変更情報を前記端末装置へ送信し、
前記端末装置は、前記第１の論理チャネルと前記第２の論理チャネルについては前記第２の周波数を用いて前記第２の基地局装置と無線通信を行うことを特徴とする請求項４記載の無線通信システム。
【請求項６】
前記第２の基地局装置は、前記第１の基地局装置が前記送達未確認データを前記端末装置へ送信するときに用いる第１の論理チャネルに関する番号を、前記第２の基地局装置が前記第２のデータを前記端末装置へ送信するときに用いる第２の論理チャネルに関する番号に変換する制御部を備え、
前記第２の送信部は、前記第２の論理チャネルを用いて前記送達未確認データの全部又は一部を前記端末装置へ送信することを特徴とする請求項１記載の無線通信システム。
【請求項７】
更に、前記第１又は第２の基地局装置を介して前記端末装置へ至る経路を設定し、設定された経路に従って前記第１又は前記第２のデータを前記第１又は第２の基地局装置へ夫々送信するゲートウェイ装置を備え、
前記第２の送信部は、前記所定時間経過後、前記第１の基地局装置へ至る経路の切断を要求するデータ転送経路切断要求を前記ゲートウェイ装置へ送信することを特徴とする請求項２記載の無線通信システム。
【請求項８】
第１又は第２の周波数帯域に属する第１の周波数を利用して第１のデータを端末装置へ送信する際に、他の基地局装置が前記第１又は第２の周波数帯域に属する第２の周波数を利用して第２のデータを前記端末装置へ送信する時と同時に、前記第１のデータを前記第１の周波数を利用して前記端末装置へ送信する基地局装置において、
前記端末装置との間の無線通信品質が閾値以下となったとき、前記端末装置に対して送達確認のとれていない送達未確認データを、前記端末装置と無線通信リンクが確立された前記他の基地局装置へ転送する送信部
を備えることを特徴とする基地局装置。
【請求項９】
端末装置と、第１又は第２の周波数帯域に属する第１の周波数を利用して前記端末装置と無線通信を行う第１の基地局装置と、前記第１又は第２の周波数帯域に属する第２の周波数を利用して前記端末装置と無線通信を行う第２の基地局装置とを備え、前記第１及び第２の基地局装置は前記第１及び第２の周波数を夫々利用して第１及び第２のデータを前記端末装置へ同時に夫々送信する無線通信システムにおけるデータ転送方法であって、
前記第１の基地局装置は、前記端末装置との間の無線通信品質が閾値以下となったとき、前記端末装置に対して送達確認のとれていない送達未確認データを、前記端末装置と無線通信リンクが確立された前記第２の基地局装置へ転送し、
前記第２の基地局装置は、前記第１の基地局装置から受信した前記送達未確認データの全部又は一部を前記端末装置へ送信する
ことを特徴とするデータ転送方法。
【国際調査報告】
2015104802.tif 000028
2015104802.tif 000029
2015104802.tif 000030